(57)【要約】  肥料組成物の様々な実施形態を提供する。この肥料組成物は、炭素対窒素原子比によって測定することができる高い窒素含有量を有する１種または複数種の化合物を含む。また土壌の窒素含有量を増加させる方法、作物生産を促進する方法および肥料を与える方法も提供される。
2009511416.tif 000002
【特許請求の範囲】
【請求項１】
１種または複数種の有機化合物を含む肥料組成物。
【請求項２】
前記１種または複数種の有機化合物が、Ｃ対Ｎ比による測定において、高い窒素含有量を有する、請求項１に記載の肥料組成物。
【請求項３】
前記１種または複数種の有機化合物が、リシン生成物、発酵細胞培養液、有機酸のアンモニウム塩、アミド化有機カルボン酸、可溶性植物性タンパク質およびそれらの混合物よりなる群から選択される、請求項１に記載の肥料組成物。
【請求項４】
前記１種または複数種の有機化合物が、Ｌ−リシンの水溶性塩、Ｌ−リシン（ＨＣｌ）、Ｌ−リシン遊離塩、液体Ｌ−リシン、Ｌ−リシン硫酸塩およびそれらの混合物よりなる群から選択されるリシン生成物を含む、請求項１に記載の肥料組成物。
【請求項５】
肥料が固体顆粒製剤形態を有する、請求項１に記載の肥料組成物。
【請求項６】
肥料が水溶液製剤形態を有する、請求項１に記載の肥料組成物。
【請求項７】
前記１種または複数種の有機化合物が有機酸のアンモニウム塩を含む、請求項１に記載の肥料組成物。
【請求項８】
前記有機酸が、乳酸、クエン酸、ギ酸、酢酸、プロピオン酸、ブタン酸、シュウ酸、リンゴ酸、コハク酸、フマル酸、酒石酸、およびそれらの混合物よりなる群から選択される、請求項６に記載の肥料組成物。
【請求項９】
前記１種または複数種の有機化合物が、乳酸のアミド、アミノ酸のアミド、クエン酸のモノアミド、クエン酸のジアミド、クエン酸のトリアミドおよびそれらの混合物よりなる群から選択され、各アミドが、独立して、非置換のアミド、Ｎ−アルキルアミドおよびＮ，Ｎ−ジアルキルアミドのうちの１つであるアミド化有機カルボン酸を含む、請求項１に記載の肥料組成物。
【請求項１０】
前記１種または複数種の有機化合物が、グリシン、アラニン、セリン、バリン、リシン、アスパラギン、グルタミン、ヒスタジン、アルギニンおよびスレオニンのうちの１つ以上のアミドを含む、請求項１に記載の肥料組成物。
【請求項１１】
前記１種または複数種の有機化合物が、リシン細胞培養液、スレオニン細胞培養液およびそれらの組み合わせよりなる群から選択される発酵細胞培養液を含む、請求項１に記載の肥料組成物。
【請求項１２】
前記発酵細胞培養液が、乾燥細胞培養液、細胞集団およびバイオマスのうちの少なくとも１つを含む、請求項１１に記載の肥料組成物。
【請求項１３】
前記１種または複数種の有機化合物が、塩基性塩とブレンドされた大豆タンパク質単離物、カノーラタンパク質単離物、大豆タンパク質濃縮物およびそれらの混合物よりなる群から選択される可溶性植物性タンパク質を含む、請求項１に記載の肥料組成物。
【請求項１４】
前記可溶性植物性タンパク質が、塩基性塩とブレンドされた大豆タンパク質単離物を含み、塩基性塩とブレンドされた大豆タンパク質単離物の水溶液が８より高いｐＨを有するように、大豆タンパク質単離物が十分な量の塩基性塩とブレンドされる、請求項１３に記載の肥料組成物。
【請求項１５】
前記塩基性塩が、炭酸イオン、重炭酸イオン、水酸化物イオンおよびそれらの混合物のうちの１つの塩である、請求項１４に記載の肥料組成物。
【請求項１６】
前記塩がアルカリ土類金属塩である、請求項１５に記載の肥料組成物。
【請求項１７】
前記塩基性塩が、（ＮＨ４）２ＣＯ３、ＮＨ４ＨＣＯ３、ＮＨ４ＯＨ、ＫＯＨ、Ｋ２ＣＯ３、ＫＨＣＯ３およびそれらの組み合わせよりなる群から選択される、請求項１５に記載の肥料組成物。
【請求項１８】
前記１種または複数種の有機化合物が固体を含み、前記肥料組成物が、前記固体有機化合物の表面上に生分解性ポリマーコーティングをさらに含む、請求項１に記載の肥料組成物。
【請求項１９】
前記生分解性ポリマーコーティングがポリ（ヒドロキシアルカノエート）を含む、請求項１８に記載の肥料組成物。
【請求項２０】
大豆モラス、大豆タンパク質リカー、コーンスティープリカー、蒸留可溶物およびそれらの組み合わせよりなる群から選択される可溶性バインダー材料をさらに含む、請求項１に記載の肥料組成物。
【請求項２１】
カリウム塩、リン酸塩、尿素、硫黄元素、石膏、ならびに鉄、亜鉛、マグネシウムおよびそれらの混合物の塩から選択される微量元素よりなる群から選択される少なくとも１種の無機肥料成分をさらに含む、請求項１に記載の肥料組成物。
【請求項２２】
前記１種または複数種の有機化合物が、細胞集団加水分解物、中和された細胞集団加水分解物およびそれらのいずれかの組み合わせよりなる群から選択される、請求項１に記載の肥料組成物。
【請求項２３】
アミノ酸キレートをさらに含む、請求項１に記載の肥料組成物。
【請求項２４】
土壌の窒素含有量を増加させる手段と、
分散剤と
を含む肥料組成物。
【請求項２５】
窒素含有量を増加させる前記手段が、リシン生成物、発酵細胞培養液、有機酸のアンモニウム塩、アミド化有機カルボン酸、可溶性植物性タンパク質およびそれらの混合物よりなる群から選択される有機化合物を含む、請求項２４に記載の肥料組成物。
【請求項２６】
前記分散剤が、生分解性ポリマーおよび水よりなる群から選択される、請求項２４に記載の肥料組成物。
【請求項２７】
肥料組成物が植物の成長を促進するように、土壌に請求項１〜２６のいずれか一項に記載の肥料組成物を適用することを含む土壌中の窒素含有量を増加させる方法。
【請求項２８】
前記肥料組成物が芝草の成長を促進する、請求項２７に記載の方法。
【請求項２９】
前記肥料組成物を土壌に適用することが、土壌上へ前記肥料組成物を散布することを含む、請求項２７に記載の方法。
【請求項３０】
前記肥料組成物を散布することが、土壌上へ前記肥料組成物を噴霧することを含む、請求項２９に記載の方法。
【請求項３１】
前記肥料組成物が水性製剤を含む、請求項３０に記載の方法。
【請求項３２】
植物または土壌に請求項１〜２６のいずれか一項に記載の肥料組成物を適用することを含む作物生産を促進する方法。
【請求項３３】
前記植物が芝草である、請求項３２に記載の方法。
【請求項３４】
前記植物が商業用作物植物である、請求項３２に記載の方法。
【請求項３５】
有機組成物が園芸作物または農作物の成長を促進するように、園芸作物または農作物に請求項１〜２５のいずれか一項に記載の肥料組成物を適用することを含む園芸作物または農作物に肥料を与える方法。
【請求項３６】
大豆粉末、乾燥リシン生成物、液体リシン生成物、リシン発酵副生成物、スレオニン発酵副生成物およびそれらのいずれかの組み合わせよりなる群から選択される有機化合物を含み、冬季休眠の前に芝草へ肥料組成物を適用すると、芝草の色が、肥料組成物が適用されていない芝草と比較して改善される肥料組成物。
【請求項３７】
前記肥料組成物が水溶液中に存在する、請求項３６に記載の肥料組成物。
【請求項３８】
前記肥料組成物が粒状または粉末状である、請求項３６に記載の肥料組成物。
【請求項３９】
界面活性剤をさらに含む、請求項３６に記載の肥料組成物。
【請求項４０】
請求項３６〜３９のいずれか一項に記載の肥料組成物を、土壌、植物または土壌および植物に適用することを含む肥料を与える方法。
【請求項４１】
水溶液中に前記肥料組成物を入れることをさらに含む、請求項４０に記載の方法。
【請求項４２】
前記肥料組成物で顆粒または粉末を形成することをさらに含む、請求項４０に記載の方法。
【請求項４３】
前記肥料組成物が、土壌１アールあたり窒素（Ｎ）が０．４８９キログラムの率で、土壌、植物または土壌および植物に適用される、請求項４０に記載の方法。
【請求項４４】
第１の位置で前記肥料組成物を製造すること、および
前記肥料組成物を第２の位置へ輸送すること
を含み、前記第１の位置および前記第２の位置が国である、請求項３６〜３９のいずれか一項に記載の肥料組成物を製造する方法。
【請求項４５】
第１の成分および第２の成分を含み、前記第１の成分および前記第２の成分が、それぞれ独立して、リシン生成物、細胞培養液、タンパク質、農産物加工施設で発生する副生成物およびそれらのいずれかの組み合わせよりなる群から選択され、前記第１の成分および前記第２の成分が異なる、組成物。
【請求項４６】
前記第１の成分がリシン生成物を含み、かつリシンの水溶性塩、リシン塩酸塩、リシン二塩化水素化物、リシン遊離塩、リシン硫酸塩、リシン塩の水溶液、リシン遊離塩の水溶液、リシン細胞排出物、リシンラフィネート、リシン母液およびそれらのいずれかの組み合わせよりなる群から選択される、請求項４５に記載の組成物。
【請求項４７】
前記リシン生成物がリシン塩酸塩である、請求項４６に記載の組成物。
【請求項４８】
前記リシン生成物がリシン遊離塩の水溶液である、請求項４６に記載の組成物。
【請求項４９】
前記第２の成分が、スレオニン発酵細胞培養液、リシン発酵細胞培養液、クエン酸発酵細胞培養液およびそれらのいずれかの組み合わせよりなる群から選択される細胞培養液である、請求項４５に記載の組成物。
【請求項５０】
前記第２の成分が、大豆タンパク質、カノーラタンパク質、亜麻仁タンパク質、ピーナッツタンパク質、ヒマワリタンパク質、ベニバナタンパク質、綿タンパク質、アブラヤシタンパク質、パーム核タンパク質およびそれらのいずれかの組み合わせよりなる群から選択される植物性タンパク質である、請求項４５に記載の組成物。
【請求項５１】
前記第２の成分が、大豆タンパク質単離物、大豆タンパク質濃縮物、リバース大豆濃縮物、大豆フラワー、大豆フレーク、大豆ミール、乾燥大豆粉末およびそれらのいずれかの組み合わせよりなる群から選択される大豆タンパク質である、請求項４５に記載の組成物。
【請求項５２】
前記組成物が、粉末、顆粒、ペレットおよびそれらのいずれかの組み合わせよりなる群から選択される固体形状を有する、請求項４５に記載の組成物。
【請求項５３】
前記組成物の表面の少なくとも一部分の上にコーティングをさらに含む、請求項５２に記載の組成物。
【請求項５４】
前記組成物が、均質水溶液および不均質水溶液よりなる群から選択される形態を有する、請求項４５に記載の組成物。
【請求項５５】
土壌、植物または土壌および植物に、リシンの水溶性塩、リシン塩酸塩、リシン二塩化水素化物、リシン遊離塩、リシン硫酸塩、リシン塩の水溶液、リシン遊離塩基の水溶液、リシン細胞排出物、リシンラフィネート、リシン母液およびそれらのいずれかの組み合わせよりなる群から選択されるリシン生成物を含む肥料組成物を適用することを含む土壌中の窒素含有量を増加させる方法。
【請求項５６】
前記肥料組成物が、細胞培養液、タンパク質、農産物加工施設で発生する副生成物およびそれらのいずれかの組み合わせよりなる群から選択される少なくとも１種の有機化合物をさらに含む、請求項５５に記載の方法。
【請求項５７】
前記肥料組成物が、窒素０．１２２ｋｇ／アール／月〜窒素１．４７ｋｇ／アール／月の量で適用される、請求項５５に記載の方法。
【請求項５８】
前記肥料組成物を適用することが、顆粒形状の肥料組成物を散布すること、肥料組成物の均質水溶液を噴霧すること、および肥料の不均質水溶液を噴霧することよりなる群から選択される、請求項５５に記載の方法。
【請求項５９】
前記植物が草である、請求項５５に記載の方法。
【請求項６０】
大豆粉末、大豆ミール、大豆フレーク、大豆フラワー、スレオニン発酵から得られる細胞集団、リシン発酵から得られる細胞集団、クエン酸発酵から得られる細胞集団、ポリヒドロキシアルカノエート単離プロセスから得られる細胞集団、エタノール発酵から得られる細胞集団、およびいずれかのそれらの組み合わせよりなる群から選択される顆粒状窒素含有材料を植物に適用することを含む方法。
【請求項６１】
前記植物が草である、請求項６０に記載の方法。
【請求項６２】
前記植物が、クリーピングベントグラス（ｃｒｅｅｐｉｎｇ  ｂｅｎｔｇｒａｓｓ）、ケンタッキーブルーグラス（Ｋｅｎｔｕｃｋｙ  ｂｌｕｅｇｒａｓｓ）、セントオーガスティングラス（Ｓｔ．Ａｕｇｕｓｔｉｎｅ  ｇｒａｓｓ）、バミューダグラス（Ｂｅｒｍｕｄａ  ｇｒａｓｓ）、ドワーフバミューダグラス（ｄｗａｒｆ  Ｂｅｒｍｕｄａ  ｇｒａｓｓ）およびトールフェスキュ（ｔａｌｌ  ｆｅｓｃｕｅ）よりなる群から選択される、請求項６０に記載の方法。
【請求項６３】
前記顆粒状窒素含有材料の表面の少なくとも一部分の上にコーティングを配置することをさらに含む、請求項６０に記載の方法。
【請求項６４】
前記顆粒状窒素含有材料を適用することが、前記顆粒状窒素含有材料を１アールあたり０．５６キログラムと１アールあたり１６．８３キログラムとの間の率で植物に散布することを含む、請求項６０に記載の方法。
【請求項６５】
リシン生成物を前記顆粒状窒素含有材料に組み入れることをさらに含む、請求項６０に記載の方法。
【請求項６６】
少なくとも５０重量％のリシンおよび８重量％と２０重量％との間の窒素を含む顆粒状リシン生成物を、１アールあたり０．５６キログラムと１アールあたり１６．８３キログラムとの間の率で植物に散布することを含む方法。
【請求項６７】
前記植物が草である、請求項６６に記載の方法。
【請求項６８】
少なくとも５０重量％のリシンおよび８重量％と２０重量％との間の窒素を含む液体リシン生成物を含む溶液を、１アールあたり０．０２５リットルと１アールあたり９８．８４リットルとの間の率で植物に噴霧することを含む方法。
【請求項６９】
前記植物が草である、請求項６８に記載の方法。
【発明の詳細な説明】
【技術分野】
【０００１】
技術分野
本開示の様々な非限定的な実施形態は肥料に関する。より具体的には、非限定的な実施形態は、肥料の単位価格を最小化しつつ、窒素を提供する肥料に関する。また土壌中の窒素含有量を増加させる方法、作物生産を促進する方法、および園芸作物または農作物に肥料を与える方法も提供する。
【背景技術】
【０００２】
背景
例えば、果物、野菜、穀物、草、例えば、芝草、ならびに他の園芸産物および農産物のような商業用作物が植え付けられた土壌への養分肥料の適用は、かかる作物または草の生産および成長を高めるための１つの方法である。
【０００３】
窒素、リン、カリウムおよび硫黄、ならびに鉄、亜鉛、銅およびマグネシウムのような微量元素のような土壌養分は、農業の発展および植物の成長を達成するために有用である。しかしながら、繰り返される作付けサイクルで、植物が養分を利用すると、土壌中のこれらの養分の量が消耗することがある。土壌中の養分濃度の消耗によって、植物成長が抑制され、そしてエーカーあたりの生産量が減少する場合がある。このような影響に対抗するため、最適な植物成長および高い産出が得られるように、土壌中の消耗した不可欠な養分を置換するのを補助する肥料が開発されている。
【０００４】
肥料は、有機肥料または無機肥料のいずれかに分類することができる。本明細書で使用される場合、「有機」という用語は、生体由来の組成物中にあるような炭素骨格を含む分子骨格を有するものを含む。有機肥料は、生物由来材料から製造される。動物性肥料、堆肥、骨粉、羽毛粉および血粉は、一般的な有機肥料の例である。他方、無機肥料は、生体物質以外から製造され、例えば、硝酸アンモニウム、硫酸アンモニウム、尿素、塩化カリウム、カリ、リン酸アンモニウム、無水アンモニアおよび他のリン酸塩を含む。
【０００５】
無機肥料は、市販品として容易に入手可能であり、また植物に直ちに利用可能である可溶性の形態で養分を含有する。無機肥料は一般的に安価であり、所望の成分に関して低い単位価格を有する。加えて、所与の成分の正確な量を計算し、植物または土壌に投与することもできる。しかしながら、無機肥料には不都合な点がある。第１に、無機肥料、特に窒素肥料は、植物の根の下のレベルまでの浸出の影響を受ける。この浸出は、雨または潅漑の結果としても生じ、また肥料成分によって地下水、地域の飲料水および／または井戸の汚染が生じることもある。このような浸出によって、植物の根に養分を利用することができなくなり、また浸出した肥料に使われる無駄な費用が発生する場合もある。第２に、無機肥料の過剰量の適用によって、特に若い植物で、植物組織の焼け（ｂｕｒｎｉｎｇ）（葉面の焼け）および根の焼けのような植物毒性が生じる場合がある。最後に、肥料の重度の、または非組織的な適用によって、無機肥料は土壌中で塩の毒物濃度の蓄積を導き得る。あるいは土壌養分含有量が厳密に監視されない場合、化学的不均衡が発達することもある。
【０００６】
他方、有機肥料は、典型的に、植物に直ちに利用可能ではなく、そして植物による使用の前に、より単純な構造へと肥料成分を分解する土壌微生物を必要とする。この分解は、時間をかけて生じ、また養分のより遅い放出をもたらし得る。有機肥料は、通常低い塩指数を有し、植物への損傷を引き起こすことなく、より多くの量が一度に適用されてもよく、加えて、土壌中の毒物の蓄積は生じ難い。しかしながら、有機肥料の費用は、典型的に、養分基準の単位価格で無機肥料より高く、従来の有機肥料の商業的適用を費用的に困難にさせている。無機肥料と同様に、有機肥料の過剰量の適用によって、植物組織の焼け（葉面の焼け）および根の焼けがもたらされることもある。
【０００７】
加えて、一般的な無機肥料でも観測されるように、有機肥料は植物の成長反応を誘発するのみならず、天然の有機肥料は、土壌微生物群成長および活性も刺激する。土壌微生物群の増加は、土壌の物理的および化学的特性に対して著しく有利な影響があり、また病害および有害生物抵抗が増加する。
【０００８】
したがって、既知の肥料の不利な点を示さないが、これらの製品によって示される利点の多く、または全てを示す肥料が必要とされている。
【発明の開示】
【発明が解決しようとする課題】
【０００９】
要約
本開示の様々な非限定的な実施形態は、肥料組成物、土壌の窒素含有量を増加させる方法、作物生産を促進する方法、ならびに園芸作物および農作物、例えば芝草に肥料を与える方法を意図する。
【００１０】
１つの非限定的な実施形態に従って、本開示は、Ｃ対Ｎ比による測定において、高い窒素含有量を有する１種または複数種の有機化合物を含む肥料組成物を含む。１種または複数種の有機化合物は、リシン生成物、発酵細胞培養液、有機酸のアンモニウム塩、アミド化有機カルボン酸、可溶性植物性タンパク質およびそれらの混合物よりなる群から選択されてよい。
【００１１】
他の非限定的な実施形態としては、土壌中の窒素含有量を増加させる手段と、分散剤とを含む肥料組成物が挙げられる。
【００１２】
さらに他の非限定的な実施形態としては、土壌中の窒素含有量を増加させる方法が挙げられる。この方法は、肥料組成物が植物成長および／または生産を促進するように、本明細書に記載の肥料組成物を土壌に適用することを含む。
【００１３】
さらなる非限定的な実施形態としては、作物生産を促進する方法が挙げられる。この方法は、本明細書に記載の肥料組成物を植物または土壌に適用することを含む。
【００１４】
もう１つの非限定的な実施形態で、肥料組成物は、大豆粉末、乾燥リシン生成物、液体リシン生成物、リシン発酵副生成物、スレオニン発酵副生成物およびそれらのいずれかの組み合わせよりなる群から選択される有機化合物を含む。この有機化合物を冬季休眠の前に芝草へ適用すると、有機化合物が適用されていない芝草と比較して、芝草の色が改善される。肥料組成物によって肥料を与える方法も開示される。
【００１５】
なおさらなる非限定的な実施形態として、園芸作物または農作物に肥料を与える方法が挙げられる。この方法は、肥料組成物が園芸作物または農作物の成長および／または生産を促進するように、本明細書に記載の肥料組成物を園芸作物または農作物に適用することを含む。
【００１６】
もう１つの非限定的な実施形態としては、第１の成分および第２の成分を含む組成物が挙げられる。第１の成分および第２の成分は、それぞれ独立して、リシン生成物、細胞培養液、タンパク質、農産物加工施設で発生する副生成物およびそれらのいずれかの組み合わせよりなる群から選択され、第１の成分および第２の成分は異なる。
【００１７】
他の非限定的な実施形態としては、大豆粉末、大豆ミール、大豆フレーク、大豆フラワー、スレオニン発酵から得られる細胞集団、リシン発酵から得られる細胞集団、クエン酸発酵から得られる細胞集団、ポリヒドロキシアルカノエート単離プロセスから得られる細胞集団、エタノール発酵から得られる細胞集団、およびいずれかのそれらの組み合わせよりなる群から選択される顆粒状窒素含有材料を植物に適用することを含む方法が挙げられる。
【００１８】
さらに他の非限定的な実施形態としては、少なくとも５０重量％のリシンおよび８重量％と２０重量％との間の窒素を含む顆粒状リシン生成物を、１アールあたり０．５６キログラムと１アールあたり１６．８３キログラムとの間の率で植物に散布する方法が挙げられる。他の非限定的な実施形態としては、少なくとも５０重量％のリシンおよび８重量％と２０重量％との間の窒素を含む液体リシン生成物を含む溶液を、１アールあたり０．０２５リットルと１アールあたり９８．８４リットルとの間の率で植物に噴霧する方法が挙げられる。
【００１９】
以下の図面と関連して読むと、本開示の様々な非限定的な実施形態をより良好に理解することができる。
【発明を実施するための最良の形態】
【００２０】
詳細な説明
本開示の様々な非限定的な実施形態は、高い窒素含有量を有する１種または複数種の有機化合物を含む肥料組成物を開示する。土壌中の窒素含有量を増加させる方法、作物生産を促進する方法ならびに園芸作物および農作物に肥料を与える方法も記載される。
【００２１】
この作業例以外で、あるいは他に示される場合、成分の量、反応条件等を表すために本明細書に記述される全ての数は、全ての例で、「約」という用語によって修飾されているものとして理解されるべきである。したがって、反対に示されない限り、以下の明細書および添付の請求の範囲で明示される数値パラメータは、得られるように求められる所望の特性に依存して変更可能な近似値である。少なくとも、そして請求の範囲の同等物の原則の適用を限定する試みとしてではなく、各数値パラメータは、少なくとも、報告された有効数字の数を考慮して、また通常の四捨五入法の適用によって解釈されるべきである。
【００２２】
本発明の幅広い範囲を明らかにする数値範囲およびパラメータが近似であるにもかかわらず、具体例で明らかにされる数値的な値は、可能な限り正確に報告される。しかしながら、いかなる数値も、それらの各試験測定において見出される標準偏差から必然的に生じる特定の誤差を本質的に含有する。
【００２３】
また本明細書に記述されるいずれの数値範囲も、その中に包含される全ての部分範囲を含むように意図されることは理解されるべきである。例えば、「１〜１０」の範囲は、記述された最小値１と記述された最大値１０との間（それらを含む）の全ての部分範囲を含むように意図され、すなわち、１以上の最小値と１０以下の最大値を有する。また他に示されない限り、組成物中の成分のパーセントは重量パーセントとして表される。
【００２４】
全体または一部で、本明細書に参照として組み入れられると記載される、いかなる特許、出版物または他の開示資料も、組み入れられた資料が、既存の定義、記載または本開示において明らかにされる他の開示資料と対立しない範囲までのみ本明細書に組み入れられる。このように、そして必要な範囲まで、本明細書で明らかにされる開示は、本明細書に参照として組み入れられるいかなる対立する資料にも優先する。本明細書に参照により組み入れられるものとして記載されるが、既存の定義、記載または本開示において明らかにされる他の開示資料と対立するいかなる資料またはその一部も、組み入れられた資料と既存の開示資料との間で対立が生じない範囲までのみ組み入れられる。
【００２５】
本開示は、様々な代表的な非限定的な実施形態に関して、本発明の種々の特徴および態様を記載する。しかしながら、本発明は、当業者が有用であることを見出すであろういずれかの組み合わせで、本明細書に記載の種々の特徴、態様および実施形態のいずれかを組み合わせることによって達成され得る多数の別の実施形態を包含することは理解される。
【００２６】
本開示の様々な非限定的な実施形態は、１種または複数種の有機化合物を含む肥料組成物に関する。特定の非限定的な実施形態に従って、１種または複数種の化合物は、Ｃ対Ｎ比による測定において、高い窒素含有量を有してもよい。本明細書で使用される「高い窒素含有量を有する有機化合物」という用語は、主に炭素骨格から成り立つ分子構造を有し、炭素原子数と比較して窒素原子数が高い化合物を含む。炭素原子数との比較上の窒素原子数は、化合物の分子構造または組成物の構成において、炭素原子対窒素原子の比率によって表されてもよい（Ｃ対Ｎ比）。
【００２７】
特定の非限定的な実施形態に従って、本開示の有機化合物のＣ対Ｎ比は、１：１〜約１２：１の範囲であってよく、すなわち、有機化合物の分子式は、全ての窒素１個に対して１個の炭素から全ての窒素１個に対して１２個までの炭素を有する。
【００２８】
他の非限定的な実施形態に従って、本開示の有機化合物のＣ対Ｎ比は、１：１から約８：１までの範囲であってよい。あるいは、窒素含有量は、１種または複数種の有機化合物中の窒素の重量パーセントで測定されてもよい。
【００２９】
特定の非限定的な実施形態に従って、本開示の肥料は、５重量％より多い窒素、例えば、約５重量％〜約２０重量％の範囲の窒素を有する１種または複数種の有機化合物を含む。他の非限定的な実施形態に従って、肥料は、約８重量％〜約２０重量％の窒素を有する１種または複数種の有機化合物を含んでもよい。他の非限定的な実施形態に従って、この肥料は、１０重量％より多い窒素、例えば、約１０重量％〜約２０重量％の範囲の窒素を有する１種または複数種の有機化合物を含んでもよい。
【００３０】
肥料は、次の成分：窒素、リンおよびカリウムのうちの１つ以上の含有量によって示されてもよい。肥料中のこれらの成分の含有量をＮ−Ｐ−Ｋ値によって示すことができる（ここで、Ｎ＝重量パーセントによる窒素含有量、Ｐ＝重量パーセントによるリン含有量およびＫ＝重量パーセントによるカリウム含有量）。特定の非限定的な実施形態に従って、１種または複数種の化合物を含む本開示の肥料は、５〜２０の範囲のＮ−Ｐ−Ｋ値のＮ成分を有してよい。他の非限定的な実施形態に従って、肥料のＮ−Ｐ−Ｋ値のＮ成分は、８〜２０の範囲であってよい。さらに他の非限定的な実施形態に従って、肥料のＮ−Ｐ−Ｋ値のＮ成分は、１０〜２０の範囲であってよい。
【００３１】
他の実施形態に従って、本開示は、本明細書で記載される１種または複数種の有機化合物または組成物を含む土壌回復をもたらす。特定の非限定的な実施形態に従って、１種または複数種の有機化合物または組成物を含む土壌回復は、８重量％未満の窒素、例えば、約２重量％の窒素〜約５重量％の窒素を含んでよい。
【００３２】
本開示の様々な実施形態に従って、植物成長を促進し、有益な土壌微生物の成長を促進し、そして／または、例えば、繰り返された作付けサイクルの結果として、もしくは浸出によって消耗された、土壌から消耗した様々な養分を補充する量で、肥料を土壌または農作物もしくは園芸作物に適用してよい。あるいは、作物の効率的な農業生産を補助するため、例えば、現在のところ、農業または作物生産に不適当である土地のような、低いまたは不十分な養分濃度および／または土壌微生物レベルを有する土壌に肥料を適用してもよい。
【００３３】
他の非限定的な実施形態において、本開示の肥料は、水耕システムまたは気耕システムで植物の成長を促進し得る。
【００３４】
本明細書で使用される場合、「作物」という用語には、限定されないが、食品、審美性、工業用途、競技用途（すなわち、例えば芝草での競技イベントの実施）および販売に対する要求を満たすいずれかの農業植物または園芸植物が含まれる。本発明の肥料組成物が適用されてもよい潜在的可能性のある「作物」の例としては、限定されないが、果物、野菜、根および塊茎、穀物、花および他の園芸産物、木、低木、芝草および芝、室内植物および工業用作物、例えば、工業製品および食料製品の製造のためのコーン、小麦、大麦、ヒマワリ、カノーラ、亜麻、ルリジサ、豆類、砂糖大根および大豆が挙げられる。
【００３５】
本開示の特定の非限定的な実施形態に従って、１種または複数種の有機化合物は、リシン生成物、発酵細胞培養液、有機酸のアンモニウム塩、アミド化有機カルボン酸、農産物加工施設で発生する生成物および／または副生成物、ならびにタンパク質、例えば植物由来タンパク質、細菌もしくは微生物由来タンパク質、または動物由来タンパク質、あるいはそれらのいずれかの混合物が挙げられる。本開示の特定の非限定的な実施形態に従って、タンパク質は水溶液中に実質的に可溶性であってよい。他の非限定的な実施形態に従って、タンパク質は水溶液中に実質的に不溶性であってよい。
【００３６】
特定の非限定的な実施形態に従って、本開示の肥料は、固体顆粒または凝集製剤形態を有してもよい。特定の非限定的な実施形態に従って、顆粒または凝集製剤は、少なくとも５のメッシュサイズを有してもよい（すなわち、粒子は約４ｍｍ以下のサイズを有する）。他の非限定的な実施形態に従って、メッシュサイズは、約１０メッシュ〜約５メッシュであってよい（すなわち、粒径は、約２ｍｍ〜約４ｍｍの範囲である）。ペレットサイズは、特定の業界基準によって、粗くてもよい（２００サイズガイド数（ＳＧＮ）超）が、より小さなペレットサイズであることは、より広範囲で迅速な土壌微生物活性および養分の放出を可能にする、より大きな表面積であることと同等である。肥料が固体製剤形態を有する様々な実施形態に従って、肥料は、０℃（３２°Ｆ）〜６０℃（１４０°Ｆ）の温度の水中で、少なくとも実質的に可溶性であり得る。
【００３７】
もう１つの非限定的な実施形態で、肥料を、界面活性剤、乳化剤、消泡剤および／または肥料を溶液中に分散可能にするための分散剤と混合してもよい。１つの非限定的な実施形態で、界面活性剤としては、限定されないが、農業用界面活性剤、例えば、アニオン界面活性剤、カチオン界面活性剤、非イオン性界面活性剤、両性界面活性剤、シリコーンベースの界面活性剤、アルコールベースの界面活性剤およびそれらのいずれかの組み合わせが挙げられる。適切な界面活性剤としては、限定されないが、レシチンが挙げられる。
【００３８】
他の非限定的な実施形態に従って、本開示の肥料は、水性均質溶液または水性不均質懸濁液の製剤形態を有してもよい。例えば、本明細書で定義される肥料の１種または複数種の有機化合物が、１種または複数種の有機化合物の水溶性塩、例えば、リシン一塩酸塩（「リシン（ＨＣｌ）」）、リシン硫酸塩もしくは他の可溶性リシン塩、または有機酸のアンモニウム塩を含む場合、水溶性塩は、土壌または植物に分散および適用する前に水溶液に実質的に溶解されてよい。あるいは、可溶性リシン塩は、リシン結晶化／単離プロセス（例えばリシン（ＨＣｌ）の結晶化）からの水性母液の形態であってもよい。特定の実施形態に従って、水性母液は、約２０重量％〜約２５重量％のリシンの水溶液を含んでよい。あるいは、肥料組成物の１種または複数種の有機化合物は、水中で実質的に可溶性であり、かつ水性均質溶液を形成し得るリシン遊離塩基を含んでよい。あるいは、有機化合物は、１つの非限定的な例で、発酵細胞培養液のような、土壌または植物に噴霧または他の方法で分散されてよい水性不均質懸濁液を含んでもよい。
【００３９】
特定の非限定的な実施形態に従って、本開示の肥料は、１種または複数種のリシン生成物を含む１種または複数種の有機化合物を含んでもよい。本明細書で使用される「リシン生成物」という用語は、アミノ酸リシン（Ｃ６Ｈ１４Ｎ２Ｏ２）およびそれらの塩または誘導体を含む生成物を含み、そして「リシン」という用語は、リシンの全ての異性体（すなわち、Ｌ−リシン、Ｄ−リシン、ならびにＬ−およびＤ−リシンのいずれかの混合物）を含む。リシンは、３：１のＣ対Ｎ比を有する。様々な非限定的な実施形態によるリシン生成物は、製剤に依存して、約９％Ｎ〜約２０％Ｎの範囲の窒素含有量を含む。特定の実施形態で、リシン生成物の窒素含有量は、約９％Ｎ〜約１５％Ｎの範囲であってよい。
【００４０】
本開示での使用に適切なリシン生成物の様々な非限定的な例としては、限定されないが、例えば、リシンの水溶性塩、例えば、リシン一塩酸塩（「リシン（ＨＣｌ）」）、リシン水和物、リシン二塩化水素化物およびリシン硫酸塩；リシン遊離塩；リシン遊離塩の水溶液；顆粒状リシン；リシン細胞排出物；リシン細胞集団；リシンラフィネート；リシン母液またはそれらのいずれかの混合物が挙げられる。
【００４１】
特定の非限定的な実施形態に従って、リシン遊離塩基の水溶液は、リキッドリシン（ＬＩＱＵＩＤ  ＬＹＳＩＮＥ）（商標）ブランドのリシン（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．）の商標であり、そこから市販品として入手可能な製品）を含んでもよい。他の非限定的な実施形態に従って、リシン遊離塩の水溶液は、約５重量％〜約９５重量％のリシン遊離塩基を含む水溶液を含んでもよい。他の非限定的な実施形態に従って、リシン遊離塩の水溶液は、約１５重量％〜約８５重量％のリシン遊離塩を含む水溶液を含んでもよい。さらに他の非限定的な実施形態に従って、リシン遊離塩の水溶液は、約２５重量％〜約７５重量％のリシン遊離塩を含む水溶液を含んでもよい。他の非限定的な実施形態に従って、リシン遊離塩の水溶液は、約３５重量％〜約６５重量％のリシン遊離塩を含む水溶液を含んでもよい。他の非限定的な実施形態に従って、リシン遊離塩の水溶液は、約４５％重量％〜約５５重量％のリシン遊離塩を含む水溶液を含んでもよい。他の非限定的な実施形態で、溶液中の水の除去またはその量を低下させることによって、あるいはリシンの可溶性塩、例えばリシンＨＣｌおよび／またはリシン硫酸塩のような追加的なリシン生成物の添加によって、リシン遊離塩の水溶液のリシン含有量を要望通りに増加させてもよい。あるいは、他の非限定的な実施形態に従って、溶液への水の添加によって、リシン遊離塩基の水溶液のリシン含有量を要望通りに減少させてもよい。
【００４２】
リシン一塩酸塩（ＨＣｌ）は、Ｌ−リシン（ＨＣｌ）（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．）から市販品として入手可能）の形態で市販品として入手可能である。Ｌ−リシン（ＨＣｌ）は、例えば、限定されないが、塩酸塩の結晶化によるリシン発酵プロセスの生成物を精製することから得ることができる。
【００４３】
本開示での１種または複数種の有機化合物としての使用のために、他のアミノ酸が適切であることも考えられる。例えば、本開示の非限定的な実施形態は、アルギニン生成物、メチオニン生成物、スレオニン生成物およびそれらのいずれかの組み合わせよりなる群から選択されるアミノ酸生成物を含む肥料組成物を含んでもよい。アミノ酸生成物としては、アミノ酸の水溶性塩、アミノ酸の遊離塩、アミノ酸塩の水溶液および／または遊離塩、ならびにそれらのいずれかの組み合わせが挙げられる。他の天然由来アミノ酸を含む肥料組成物も考えられる。
【００４４】
特定の非限定的な実施形態に従って、本開示の肥料組成物は、限定されないが、リシンの一カリウムリン酸塩；リシン（ＨＣｌ）；リシン遊離塩；液体リシン；リシン二塩化水素化物；およびリシン硫酸塩、ならびにいずれかのリシン生成物の混合物を含むリシンの水溶性塩よりなる群から選択されるリシン生成物を含む１種または複数種の有機化合物を含んでよい。リシン（ＨＣｌ）は、約１５重量％の窒素含有量を有する。リシン硫酸塩は、約１０重量％の窒素含有量を有する。リシン遊離塩基は、純粋基準で約１９〜２０重量％の窒素含有量を有し、これは、リキッドリシン（ＬＩＱＵＩＤ  ＬＹＳＩＮＥ）ブランドのリシン中の５０％水溶液に対して約９．５〜１０％の窒素に相当する。約１重量％〜１９重量％の窒素含有量（すなわち、５重量％〜９５重量％のリシン遊離塩）を有するリシン遊離塩の水溶液は、本明細書に記載の通り調製されてよく、そして本明細書に開示される組成物の特定の非限定的な実施形態において利用されてよい。リシン（ＨＣｌ）、リシン硫酸塩、リシンのカリウムリン酸塩のようなリシン遊離塩およびリシン塩は、一般的に水溶液に可溶性であり、そして水溶液中にリシン塩を溶解し、続いて所望の量の窒素が生じるように土壌および／または植物に十分な容積の溶液を適用することによって、土壌または植物に適用されてよい。リシン生成物の溶液は、直接的に、例えば、葉面への噴霧として、植物に適用されてもよく、また所望の量で溶液を土壌に噴霧することによって土壌に適用されてもよい。あるいは、本明細書で記載されるリシン塩を固体、顆粒または粉末状態で土壌および／または植物に適用してもよく、かかる適用の後、微生物分解のために土壌中にリシン生成物を分散するために、水が与えられてよい（すなわち、潅漑、降雨等によって）。
【００４５】
本開示の特定の非限定的な実施形態に従って、有機化合物はリシン（ＨＣｌ）を含み、そして肥料組成物は、約０．５６キログラム／アール（ｋｇ／アール）（１エーカーあたり５０ポンド（ｌｂｓ／エーカー））〜約１６．８３ｋｇ／アール（１５００ｌｂｓ／エーカー）の量で土壌に適用されてよい。有機化合物がリキッドリシン（ＬＩＱＵＩＤ  ＬＹＳＩＮＥ）ブランドのリシン（５０％リシン遊離塩基水溶液）を含む他の非限定的な実施形態に従って、肥料組成物は、１アールあたり約０．０２５リットル（Ｌ／アール）（１エーカーあたり１．０リットル（Ｌ／エーカー））〜約１２．２６Ｌ／アール（４９６Ｌ／エーカー）の量の濃縮された形態で土壌に適用されてもよい。他の非限定的な実施形態に従って、リキッドリシン（ＬＩＱＵＩＤ  ＬＹＳＩＮＥ）ブランドのリシンを含む肥料組成物は、約０．０２５Ｌ／アール（１．０Ｌ／エーカー）〜約８．６５Ｌ／アール（３５０Ｌ／エーカー）の量で適用される。他の非限定的な実施形態に従って、リキッドリシン（ＬＩＱＵＩＤ  ＬＹＳＩＮＥ）ブランドのリシンを含む肥料組成物は、約４．０８Ｌ／アール（１６５Ｌ／エーカー）〜約１２．２６Ｌ／アール（４９６Ｌ／エーカー）の量で適用される。さらに他の非限定的な実施形態に従って、リキッドリシン（ＬＩＱＵＩＤ  ＬＹＳＩＮＥ）ブランドのリシンを含む肥料組成物は、土壌に適用される前に水で希釈されてよい。
【００４６】
他の非限定的な実施形態に従って、本明細書で開示される肥料は、単位面積、単位時間あたりの窒素の重量によって測定される量（Ｎ−Ｐ−Ｋ値からＮ成分によって算出される）で、芝草のような植物、またはかかる植物を含有する土壌に適用されてよい。例えば、１つの非限定的な実施形態に従って、肥料は、１アール、２週あたり０．０３０５キログラムの窒素（ｋｇ  Ｎ／アール／２週）（１０００平方フィート、２週あたり０．０６２５ポンドの窒素（ｌｂ  Ｎ／１０００ｆｔ２／２週））〜０．１８３ｋｇ  Ｎ／アール／２週（０．３７５ｌｂ  Ｎ／１０００ｆｔ２／２週）の量で適用されてよい。もう１つの非限定的な実施形態に従って、肥料は、０．１２２ｋｇ  Ｎ／アール／月（０．２５ｌｂ  Ｎ／１０００ｆｔ２／月）〜１．４７ｋｇ  Ｎ／アール／月（３．０ｌｂの窒素／１０００ｆｔ２／月）の量で適用されてよい。さらに他の非限定的な実施形態に従って、肥料は、０．２４４ｋｇ  Ｎ／アール／年（０．５ｌｂ  Ｎ／１０００ｆｔ２／年）〜３．９１ｋｇ  Ｎ／アール／年（８．０ｌｂ  Ｎ／１０００ｆｔ２／年）の量で適用されてよい。
【００４７】
特定の非限定的な実施形態に従って、本開示の肥料は、発酵細胞培養液、発酵プロセスの生成物および／または発酵プロセスの下流回収プロセスからの副生成物を含む１種または複数種の有機化合物を含んでよい。本明細書で使用される「発酵細胞培養液」という用語には、限定されないが、例えば、エタノールのようなアルコール；例えば乳酸のような有機酸；例えば、乳酸エステルのような有機酸のエステル；リシンまたはスレオニンのようなアミノ酸；菌類または細菌発酵のような発酵プロセスから発生する生成物が含まれる。培養液は、菌糸体、細胞集団または酵母菌または菌類発酵のバイオマス、ならびにその上またはその中でそれが成長し、そして生育可能な生物の酵素系、および発酵プロセス間に生じたその付随する代謝生成物および他の生成物を含み、そして１つ以上の分離プロセス間に除去されない媒体を含んでよい。培養液は、例えば、細胞集団またはバイオマス、ならびにその上またはその中でそれが成長し、そして生育可能な生物の酵素系、および発酵プロセス間に生じたその付随する代謝生成物を含み、そして１つ以上の分離プロセス間に除去されない媒体のような細菌の発酵集団をさらに、または代わりに含んでよい。
【００４８】
１つの非限定的な実施形態に従って、発酵細胞培養液は、発酵媒体として酵母菌を利用するエタノール発酵培養液のようなアルコール発酵培養液であってよい。適切なアルコール発酵酵母菌の品種としては、醸造酵母、パン酵母およびサッカロミケス  クレビシエ（Ｓａｃｃｈａｒｏｍｙｃｅｓ  ｃｅｒｅｖｉｓｉａｅ）のようなサッカロミケスの他の菌株が含まれる。
【００４９】
なおさらに非限定的な実施形態で、肥料は、発酵用の工業用細胞集団の加水分解物を含んでもよい。例えば、酸（例えば、硫酸または塩酸）による加水分解の後、使用された酸に対して適切な塩基で加水分解物を中和し、そのようにして加水分解された材料および沈殿塩を含有するほぼ中性ｐＨのスラリーを生じることができる。スラリーを直接的に土壌および／またはその中で成長している植物に適用してもよく、また乾燥させ、例えば、プリルへと変換することによって、顆粒状にしてもよく、そして場合により、他の土壌養分および／または担体と組み合わせてよい。酸および塩基の選択は、有機肥料の所望の組成に依存して実行される。例えば、一実施形態で、カリウムおよび／または硫酸塩強化肥料組成物が望ましい場合、硫酸が加水分解に使用され、続いて例えば水酸化カリウムのようなカリウム中和作用を有する塩基で中和を実行する。加水分解および中和された細胞集団は、土壌中の植物またはミクロフローラに対してより生物学的に利用可能となり、そして加水分解されていない細胞集団より低い率で使用されてよく、したがって、健康な植物の生産がもたらされることが予想される。
【００５０】
特定の非限定的な実施形態に従って、本開示の肥料は、リシン発酵細胞培養液または細胞集団およびスレオニン発酵細胞培養液または細胞集団、あるいはそれらのいずれかの組み合わせよりなる群から選択される発酵細胞培養液または発酵細胞集団を含む１種または複数種の有機化合物を含んでよい。他の非限定的な実施形態に従って、発酵細胞培養液は、例えば噴霧乾燥によって乾燥された少なくとも１つの細胞培養液、例えば発酵培養液；細胞集団またはバイオマス、例えば約５０重量％のタンパク質を有する細胞集団；およびバイオマスを含んでよい。発酵細胞培養液は、粉末、顆粒状ペレット、不均質スラリー、例えば、細胞培養液の水性スラリーまたはそれらのいずれかの組み合わせの形態であってよい。発酵細胞培養液は、乾燥形態（すなわち、粉末またはペレット）で土壌または植物に適用され、続いて、水が与えられ（例えば、灌漑または降雨）てよく、あるいは乾燥された細胞培養液ペレットまたは粉末を水中で混合し、そして場合により沈降を防止することによって適用され、また噴霧系または単純な散水によって土壌または植物に直接的に適用されてもよい。
【００５１】
１種または複数種の化合物がリシン細胞培養液を含む特定の非限定的な実施形態に従って、リシン細胞培養液は、約８％〜約１５％の範囲の窒素含有量を含んでよい。他の非限定的な実施形態に従って、リシン細胞培養液の窒素含有量は、約１０％〜約１５％の範囲であってよい。他の非限定的な実施形態に従って、リシン細胞培養液の窒素含有量は、約１１％〜約１２％であってもよい。リシン細胞培養液は、リシン硫酸塩（約５０重量％）を含んでもよく、そして７５．０重量％の粗製タンパク質含有量を有してよい。リシン発酵プロセスの１つの非限定的な実施形態を図８に明示する。リシン硫酸塩、リシン遊離塩、リシンＨＣｌ、リシン細胞集団、水性リシン遊離塩（リキッドリシン（ＬＩＱＵＩＤ  ＬＹＳＩＮＥ）を含む）およびリシン母液のようなリシン生成物が生じ、そしてリシン細胞培養液から単離され、本開示の様々な非限定的な実施形態でリシン生成物として利用されてよい。
【００５２】
１種または複数種の化合物がスレオニン細胞培養液または細胞集団を含む他の非限定的な実施形態に従って、スレオニン細胞培養液または細胞集団は、約７％〜約１５％の範囲の窒素含有量を含んでよい。他の非限定的な実施形態に従って、スレオニン細胞培養液または細胞集団の窒素含有量は、約１０％〜約１５％であってよい。他の非限定的な実施形態に従って、スレオニン細胞培養液または細胞集団の窒素含有量は、約１０％〜約１３％であってよい。スレオニン発酵プロセスの１つの非限定的な実施形態を図９に明示する。
【００５３】
他の非限定的な実施形態に従って、肥料は、有機酸発酵または他の発酵プロセスからの副生成物を含んでもよい。例えば、硫酸カルシウム、ならびにクエン酸のような様々な有機化合物を含むクエン酸発酵プロセスからの副生成物は、有機肥料の硫黄源として有用である。１つの非限定的な実施形態に従って、クエン酸発酵プロセスからの副生成物は、シトリスティム（ＣｉｔｒｉＳｔｉｍ）（登録商標）ブランドのクエン酸発酵培養を含んでもよい（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．から市販品として入手可能）。シトリスティム（ＣｉｔｒｉＳｔｉｍ）（登録商標）は、制御された好気性条件下で炭水化物基質上でカンジダ酵母菌を使用するクエン酸発酵プロセスの副生成物である。シトリスティム（ＣｉｔｒｉＳｔｉｍ）（登録商標）は、約６．４重量％の窒素含有量を有する顆粒状生成物である。シトリスティム（ＣｉｔｒｉＳｔｉｍ）（登録商標）生産プロセスの１つの非限定的な実施形態を図１０に明示する。他の有機酸発酵副生成物は、例えば、乳酸発酵、ギ酸発酵、酢酸発酵、プロピオン酸発酵、ブタン酸発酵、シュウ酸発酵、リンゴ酸発酵、コハク酸発酵、フマル酸発酵、アスコルビン酸発酵、酒石酸発酵、グルコノデルタ−ラクトン発酵およびそれらのいずれかの組み合わせから得ることができる。
【００５４】
なおさらに非限定的な実施形態で、肥料は、限定されないが、廃水処理施設またはラグーンの沈殿池から得られる沈殿池排出物；デキストリン；マルトデキストリン；コーンシロップ；大豆モラス；粒状スティープウォーター；蒸留廃液からのフィチン酸沈殿物；エタノール酵母菌；コーン胚芽ミール；ソルビトールおよび硫化物第一鉄の高ｐＨ混合物；限定されないが、リン酸を含む酸；加工Ｂ−澱粉；カルシウムまたはマグネシウムリシネート；乾燥された蒸留穀物（ＤＤＧ）；フィチン酸リシンまたはフィチン酸アンモニウムおよび塩化カリウム；糖およびアミノ酸マリアード（Ｍａｌｌｉａｒｄ）反応生成物；ソルビトールおよび硫化第一鉄と組み合わせたリシン遊離塩基；モラス；ポリヒドロキシアルカノエート（ＰＨＡ）生産プロセスの副生成物（ＰＨＡ単離プロセスからのバイオマスなど）、ならびにそれらのいずれかの組み合わせを含む農産物加工施設で発生する生成物および／または副生成物を含んでもよい。
【００５５】
特定の非限定的な実施形態に従って、本開示の肥料は、有機酸のアンモニウム塩を含む１種または複数種の有機化合物を含んでもよい。本明細書で使用される「有機酸のアンモニウム塩」という用語は、例えばカルボン酸のような有機酸またはスルホン酸の酸性水素が、例えば水酸化アンモニウム（ＮＨ４ＯＨ）のような塩基性アンモニウムイオン供給源と反応する場合に製造されるイオン性化学生成物を含む。得られるイオン塩は、反対に荷電したイオン間のイオン引力によって結合した、１個または複数の負に荷電した酸素と、等しい数の正に荷電したアンモニウムイオン（ＮＨ４＋）とを有する。特定の非限定的な実施形態による使用のために適切な有機酸としては、限定されないが、乳酸、クエン酸、ギ酸、酢酸、プロピオン酸、ブタン酸、シュウ酸、リンゴ酸、コハク酸、フマル酸、アスコルビン酸、酒石酸、グルコノデルタ−ラクトンまたはそれらのいずれかの混合物が挙げられる。有機酸のアンモニウム塩を形成することによって、有機化合物の窒素含有量は増加し得る。特定の非限定的な実施形態による酸から得られるアンモニウム塩としては、乳酸アンモニウム、クエン酸アンモニウム、ギ酸アンモニウム、酢酸アンモニウム、プロピオン酸アンモニウム、ブタン酸アンモニウム、シュウ酸アンモニウム、リンゴ酸アンモニウム、コハク酸アンモニウム、フマル酸アンモニウム、アスコルビン酸アンモニウムおよび酒石酸アンモニウムまたはいずれかのそれらの混合物が挙げられる。
【００５６】
有機酸が２個、３個または複数の酸官能性基を含む特定の非限定的な実施形態に従って、有機酸の酸性官能性基の１個、２個、３個または全てが反応して、上記で定義された１種または複数種のアンモニウム塩を形成してよく、そして有機酸のアンモニウム塩という用語には、各有機酸に関して可能な全てのアンモニウム塩の組み合わせが含まれる。例えば、クエン酸は３つのカルボン酸官能基を有する。有機酸がクエン酸である特定の非限定的な実施形態に従って、有機酸のアンモニウム塩は、クエン酸のモノアンモニウム塩、ジアンモニウム塩またはトリアンモニウム塩、あるいはモノ、ジおよびトリアンモニウム塩の様々な混合物であってよい。
【００５７】
特定の非限定的な実施形態に従って、本開示の肥料は、アミド化有機カルボン酸を含む１種または複数種の有機化合物を含んでもよい。本明細書で使用される「アミド化有機カルボン酸」という用語には、化学的反応によってアミド官能性に変換されたカルボン酸官能性を有する有機化合物が含まれる。カルボン酸のアミドを形成することによって、有機化合物の窒素含有量は増加し得る。特定の非限定的な実施形態に従って、有機カルボン酸のアミドは、非置換のアミド、モノ置換アミドおよびジ置換アミドであってよく、各置換基は、独立して、１〜６個の炭素原子を有するアルキル基のようなアルキル基、または芳香族基であってよい。特定の非限定的な実施形態による使用のために適切な有機カルボン酸としては、限定されないが、例えば、乳酸、クエン酸、アスコルビン酸、酒石酸、ならびに天然および非天然アミノ酸、例えば、グリシン、アラニン、セリン、バリン、リシン、アスパラギン、グルタミン、ヒスタジン、アルギニン、メチオニンおよびスレオニンのような必須アミノ酸のいずれか、ならびに非必須アミノ酸、またはこれらの有機カルボン酸のいずれかの混合物のような有機酸が挙げられる。有機化合物が必須アミノ酸のアミドを含む特定の非限定的な実施形態で、アミドは、アミノ酸のカルボン酸で形成される。有機カルボン酸が、複数のカルボン酸官能基を有する有機化合物を含む特定の非限定的な実施形態に従って、１つ以上から全てのカルボン酸官能基は、アミド官能基に変換されていてもよい。例えば、有機カルボン酸がクエン酸である場合、アミド化有機カルボン酸は、クエン酸のモノアミド、クエン酸のジアミドまたはクエン酸のトリアミド、あるいはクエン酸のモノ、ジおよびトリアミドの様々な混合物を含んでよい。
【００５８】
特定の非限定的な実施形態に従って、本開示の肥料は、植物性タンパク質を含む１種または複数種の有機化合物を含んでもよい。特定の非限定的な実施形態に従って、植物性タンパク質を抽出プロセスおよび／または圧縮プロセスによって単離してもよい。様々な非限定的な実施形態に従って、抽出プロセスは、可溶性タンパク質の抽出、それに続く沈殿工程によって、単離された可溶性タンパク質物質を得ることができる。あるいは、例えば、油または糖のような可溶性非タンパク質化合物の抽出によって、より可溶性の低い植物繊維物質を含み得る植物性タンパク質濃縮物を得ることができる。
【００５９】
特定の非限定的な実施形態に従って、植物性タンパク質は、特定の実施形態で、塩基性塩とブレンドされてもよい大豆タンパク質単離物；例えば、カノーラタンパク質単離物のような油種子タンパク質単離物；限定されないが、アーコン（ＡＲＣＯＮ）（登録商標）ブランド大豆濃縮物（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．）から市販品として入手可能）を含む大豆タンパク質濃縮物；リバース大豆濃縮物；大豆フラワー；大豆フレーク；大豆ミール；限定されないが、アーデックス（ＡＲＤＥＸ）（登録商標）ブランド大豆タンパク質単離物（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．）から市販品として入手可能）のような大豆タンパク質単離物；およびそれらの様々な混合物を含んでもよい。大豆タンパク質単離物は、例えば、水またはアルカリ水溶液による抽出によって、大豆フレークのような脱皮および脱脂大豆材料からタンパク質分解酵素物質を除去することによって製造されてもよい。大豆タンパク質単離物は、典型的に、中性ｐＨ（すなわち、ｐＨが約７）の水中でわずかに可溶性であるが、８より高いｐＨでは可溶性である。したがって、特定の非限定的な実施形態に従って、塩基性塩とブレンドされた大豆タンパク質単離物の水溶液が８より高いｐＨを有するように、大豆タンパク質単離物は、十分な量の塩基性塩とブレンドされる。ｐＨが８より高い特定の非限定的な実施形態で、大豆タンパク質単離物は、実質的に水溶液に溶解する。
【００６０】
様々な非限定的な実施形態に従って、肥料は、リシン生成物および本明細書に記載の植物性タンパク質のような植物性タンパク質を含んでもよい。これらの非限定的な実施形態に従って、リシン生成物は、リシン（ＨＣｌ）、リシン硫酸塩、リシンのリン酸カリウム塩またはそれらのいずれかの組み合わせのようなリシン塩であってよく、あるいは、リシン生成物はリキッドリシン（ＬＩＱＵＩＤ  ＬＹＳＩＮＥ）を含んでもよい。様々な非限定的な実施形態に従って、植物性タンパク質は、特定の実施形態で、塩基性塩とブレンドされてもよい大豆タンパク質単離物；例えば、カノーラタンパク質単離物のような油種子タンパク質単離物；限定されないが、アーコン（ＡＲＣＯＮ）（登録商標）ブランド大豆濃縮物（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．）から市販品として入手可能）を含む大豆タンパク質濃縮物；リバース大豆濃縮物；大豆フラワー；大豆フレーク；大豆ミール；限定されないが、アーデックス（ＡＲＤＥＸ）（登録商標）ブランド大豆タンパク質単離物（イリノイ州、ジケーター（Ｄｅｃａｔｕｒ，Ｉｌｌｉｎｏｉｓ）のアーチャー  ダニエルス  ミッドランド  カンパニー（Ａｒｃｈｅｒ  Ｄａｎｉｅｌｓ  Ｍｉｄｌａｎｄ  Ｃｏ．）から市販品として入手可能）のような大豆タンパク質単離物；およびそれらの様々な混合物を含んでもよい。
【００６１】
他の非限定的な実施形態で、有機組成物は、限定されないが、コーン；小麦、大麦；大豆、菜種（カノーラ）、ヒマワリ、ベニバナ、ピーナッツ、綿実、アブラヤシ、パーム核等；およびそれらのいずれかの組み合わせを含む他のタンパク質源から濃縮物または単離物を製造するために使用されるプロセスから得ることもできる。タンパク質源は、コーングルテン供給（ＣＧＦ）；乾燥した蒸留かす（ＤＤＧ）；「レッドドッグ」（製粉時の高灰分留分）、グルテン；例えば、溶媒および／または機械脱油プロセスから得られる油かすのような脱脂油かす；限定されないが、大麦、小麦またはライ麦を含むモルトスプラウト；あるいはこれらのタンパク質源の加工時に使用される分離プロセスの結果である他のタンパク質含有フラクションのような、これらのタンパク質源加工の生成物、副生成物及び／または廃物流を含み得る。
【００６２】
他の非限定的な実施形態に従って、肥料は、本明細書に記載のリシン生成物および本明細書に記載の発酵バイオマスを含んでもよい。１つの非限定的な実施形態に従って、肥料は、スレオニン発酵バイオマスまたは細胞集団、ならびに例えば可溶性リシン塩および／またはリキッドリシン（ＬＩＱＵＩＤ  ＬＹＳＩＮＥ）のようなリシン生成物を含んでもよい。もう１つの非限定的な実施形態に従って、肥料は、リシン発酵バイオマスまたは細胞集団、ならびに例えば可溶性リシン塩および／またはリキッドリシン（ＬＩＱＵＩＤ  ＬＹＳＩＮＥ）のようなリシン生成物を含んでもよい。さらに他の非限定的な実施形態で、肥料は、スレオニン発酵バイオマスおよび／またはリシン発酵バイオマスのような発酵バイオマス、ならびに本明細書に記載の植物性タンパク質を含んでもよい。さらにもう１つの非限定的な実施形態に従って、肥料は、リシン生成物、発酵バイオマスおよび植物性タンパク質を含んでもよい。リシン生成物および少なくとも１種の発酵バイオマスおよび植物性タンパク質を含む肥料は、約０．１２  Ｎ／アール／月（０．２５ｌｂ  Ｎ／１０００ｆｔ２／月）〜約２．４４  Ｎ／アール／月（５．０ｌｂ  Ｎ／１０００ｆｔ２／月）の率で土壌または土壌中の植物に適用されてよい。
【００６３】
１つの非限定的な実施形態に従って、本開示の肥料組成物は、約２０％〜約１００％のリシン生成物；０％〜約５０％の発酵培養液または細胞集団；および０％〜約５０％の植物性タンパク質を含んでもよい。もう１つの非限定的な実施形態に従って、肥料組成物は、約３０％〜約５０％のリシン生成物；約１５％〜約３５％の発酵培養液または細胞集団；および約１５％〜約３５％の植物性タンパク質を含んでもよい。さらに他の非限定的な実施形態に従って、肥料組成物は、約８０％〜１００％のリシン生成物を含んでもよい。
【００６４】
リシン生成物および植物性タンパク質および／または発酵バイオマスを含む肥料は、長期の微生物活性とともに、迅速な微生物分解および植物反応の組み合わせをもたらし得る。いずれかの特定の理論に拘束される意図はないが、リシン生成物は、７２時間以内に土壌微生物によって容易に分解されて、微生物分解生成物および窒素および迅速な植物応答の迅速なアクセスをもたらすが、可溶性植物性タンパク質および／または発酵バイオマスは、よりゆっくり分解され（すなわち、１週間〜１ヶ月の遅い放出）、所望の微生物群の長期の微生物応答および長期の増加をもたらすと考えられる。
【００６５】
本開示の肥料は、追加の可溶性塩、例えば、カリウムおよび／またはリンの可溶性塩；農産物加工施設で発生する生成物および／または副生成物、例えば、モラスまたは発酵バイオマス（本明細書に記載の通り）；または、例えば、イソブチリデンジ尿素（「ＩＢＤＵ」）のような有機窒素含有化合物のような追加成分を必要に応じて含んでもよい。様々な非限定的な実施形態に従って、本開示の肥料は、約１０重量％〜約２５重量％のカリウムおよび／または約５重量％〜約１０重量％のリンを含んでもよい。カリウムおよび／またはリンの添加によって、有機肥料中の窒素の濃度が希釈され、低下し得ることを留意すべきである。この場合、窒素含有量の減少は、例えば、顆粒状リシン（すなわち、リシンの可溶性塩）、リキッドリシン（ＬＩＱＵＩＤ  ＬＹＳＩＮＥ）、尿素および／またはＩＢＤＵのような高い窒素含有量を有する成分の添加によって相殺され得る。あるいは、窒素含有量を増加させるために、無機窒素源が肥料に添加されてもよい。
【００６６】
本開示のために適切な塩基性塩の非限定的な例としては、限定されないが、炭酸イオンの塩基性塩（ＣＯ３２−）、重炭酸イオン（ＨＣＯ３−）、水酸化物（ＯＨ−）、硝酸イオン（ＮＯ３−）、オキシドイオン（Ｏ２−）、ヒドロホスファイトイオン（ＨＰＯ３２−）、ジヒドロホスファイトイオン（Ｈ２ＰＯ３−）、ホスファイトイオン（ＰＯ３３−）、ヒドロホスフェートイオン（ＨＰＯ４２−）、ジヒドロホスフェートイオン（Ｈ２ＰＯ４−）、およびホスフェートイオン（ＰＯ４３−）またはこれらのアニオンを含有する塩基性塩のいずれかの組み合わせが挙げられる。例えば、塩基性塩は、これらのアニオンのアルカリ土類金属塩、特に、これらのアニオンのカリウム塩、例えば、Ｋ２ＣＯ３、ＫＨＣＯ３、ＫＯＨ、ＫＮＯ３、Ｋ２Ｏ、Ｋ２ＨＰＯ３、ＫＨ２ＰＯ３、Ｋ３ＰＯ３、Ｋ２ＨＰＯ４、ＫＨ２ＰＯ４またはＫ３ＰＯ４、あるいはこれらのカリウム塩のいずれかの組み合わせ、または他の塩基性塩との組み合わせを含んでもよい。他の非限定的な実施形態に従って、塩基性塩は、上記アニオンのアンモニウム塩、例えば、（ＮＨ４）２ＣＯ３、（ＮＨ４）ＨＣＯ３、ＮＨ４ＯＨ、ＮＨ４ＮＯ３、（ＮＨ４）２Ｏ、（ＮＨ４）２ＨＰＯ３、（ＮＨ４）Ｈ２ＰＯ３、（ＮＨ４）３ＰＯ３、（ＮＨ４）２ＨＰＯ４、（ＮＨ４）Ｈ２ＰＯ４または（ＮＨ４）３ＰＯ４、あるいはこれらのアンモニウム塩のいずれかの組み合わせ、または他の塩基性塩との組み合わせであってもよい。
【００６７】
本開示の特定の非限定的な実施形態に従って、肥料組成物の１種または複数種の有機化合物は、固体を含む。特定の非限定的な実施形態に従って、肥料組成物は、固体有機化合物の表面の少なくとも一部分でコーティングをさらに含んでもよい。コーティングは、限定されないが、土壌細菌、土壌微生物による分解；水による溶解；および／または紫外線または他の電磁放射線波長による分解のような環境または生物学的条件への暴露時に、ゆっくりと分解し得る。コーティングが分解すると、肥料の有機化合物は環境条件に暴露され、そこでさらにより小さい構造に分解し、そして植物によって吸収される。上記の通り、有機肥料は、典型的に、化合物が土壌微生物によって分解されなければならないという必要条件のため、養分のより遅い放出をもたらすが、コーティングの利用によって、さらに遅く、そして／または制御された養分の放出がもたらされ得る。これは、例えば、肥料が特定の無機肥料成分を含むか、または肥料が成長期の終わりに土壌に適用され、それによって冬季、もしくは田畑および土壌を休ませる間に土壌に養分が提供されるような特定の肥料の実施形態に関して有益である。特定の非限定的な実施形態に従って、コーティングは、ポリ（ヒドロキシアルカノエート）（「ＰＨＡ」）を含んでもよい。あるいは、本明細書で記載されるように、肥料は、ＰＨＡ単離プロセスの副生成物または残渣、例えば、細菌の発酵培養液からのＰＨＡ抽出から残った残渣またはまたはトウモロコシ茎葉のような植物繊維からの抽出物を含んでもよい。
【００６８】
他の非限定的な実施形態に従って、肥料組成物は、バインダー材料を含んでもよい。例えば、肥料成分化合物が、バインダー材料と一緒に結合され得る粉末または微粒子材料を含み、土壌、作物または園芸産物への適用により適合する、より大きく、きめの粗い粒子材料を形成する場合、バインダー材料が使用されてもよい。バインダー材料は、潅漑および／または降雨に応じて、実質的に溶解し、土壌への有機化合物の分散をもたらすため、バインダー材料の使用が望ましいこともある。粉末または微粒子と同様に、例えば、バインダー材料の溶解後、化合物は、微生物の攻撃に対してより大きな有効表面積を有し得、そして、養分成分中への化合物の効率的な分解を潜在的にもたらし得る。適切なバインダー材料は、大豆モラス、コーンシロップ、大豆タンパク質リカー、コーンスティープリカー、および／または蒸留可溶物または様々なそれらの組み合わせを含んでもよい。他の適切なバインダー材料は、小麦製粉プロセスからのＢ−澱粉のような製粉プロセスからの生成物；他の澱粉および澱粉由来生成物；および結合特性を有し、かつ少なくとも部分的に水中で可溶性であるコーン、穀物または油種子加工からの様々な生成物を含んでもよい。
【００６９】
他の非限定的な実施形態に従って、肥料組成物は、少なくとも１種の無機肥料成分を含んでもよい。上記の通り、無機肥料は、生体物質以外から製造され、そして容易に可溶性であり、また植物によって吸収される。無機肥料成分も含み得る肥料組成物は、無機肥料成分から利用可能な直接的な養分と、高い窒素含有量を有する有機化合物のような有機肥料成分の微生物による分解によって利用可能な長期の、放出の遅い養分との両方を提供する肥料製品を可能にし得る。かかる肥料組成物は、より低い頻度での土壌への肥料の適用をもたらし、それによって、有機肥料の使用に関連する環境的利点と共に、経済的利点をもたらし得る。適切な無機肥料成分は、特定の非限定的な実施形態に従って、限定されないが、カリウム塩、例えば、限定されないが、カリ、塩化カリウム、酸化カリウム、硝酸カリウム、炭酸カリウムおよびリン酸カリウム；尿素および他の無機窒素源；硫黄元素および他の硫黄源；石膏；リン酸塩、例えば、限定されないが、本明細書で上記されるリン酸塩；アンモニウム塩、例えば、限定されないが、本明細書で上記されるアンモニウム塩；微量元素およびそれらのいずれかの組み合わせが挙げられる。微量元素としては、限定されないが、カルシウム、マグネシウム、鉄、亜鉛、銅およびマンガンの塩が挙げられる。
【００７０】
特定の非限定的な実施形態で、本発明の有機肥料は、少なくとも１種の本明細書に記載のもののようなカリウム塩と、リン酸カリウムおよび亜リン酸カリウムを含む本明細書に記載のもののようなリン酸塩または亜リン酸塩とを含む無機肥料成分をさらに含んでもよい。１種または複数種のカリウム、リン酸塩および／または亜リン酸塩の肥料への添加によって、肥料中のカリウムおよび／またはリンの全体的な量が増加し得る。肥料に見られる３成分は、窒素、リンおよびカリウムであり、その濃度は肥料のＮ−Ｐ−Ｋ評価によって示される。特定の非限定的な実施形態に従って、所望のＮ−Ｐ−Ｋ評価を与えるために十分なカリウムおよび／またはリン酸塩の可溶性塩を肥料に添加してよい。特定の非限定的な実施形態に従って、肥料は、カリウム塩の形態で約５重量％〜約３０重量％のカリウムおよび／またはリン酸塩および／または亜リン酸塩の形態で約２重量％〜約２０重量％のリンを含んでよい。
【００７１】
もう１つの非限定的な実施形態で、微量元素はキレート型であり、そしてアミノ酸（例えば、スレオニンまたはリシン）リカー流から製造されてよい。土壌に微量元素を提供するために、アミノ酸キレートを肥料組成物と混合してもよい。
【００７２】
他の非限定的な実施形態に従って、本開示は、土壌の窒素含有量を増加させる手段と、分散剤とを含む肥料組成物も提供する。特定の非限定的な実施形態に従って、土壌の窒素含有量を増加させる手段は、リシン生成物、発酵細胞培養液、有機酸のアンモニウム塩、アミド化有機カルボン酸、農産物加工施設で発生する生成物および／または副生成物、ならびに可溶性植物性タンパク質またはそれらの混合物よりなる群から選択される１種または複数種の有機化合物を含む。特定の非限定的な実施形態に従って、分散剤は、ポリマーおよび／または水を含んでもよい。
【００７３】
本明細書に開示される肥料の特定の非限定的な実施形態は、例えば、米国農務省のナショナル  オーガニック  プログラム（Ｎａｔｉｏｎａｌ  Ｏｒｇａｎｉｃ  Ｐｒｏｇｒａｍ）のような政府機関から公認の有機シールを受け取ることによる公認の有機肥料であってもよい。本明細書の組成物および方法の特定の非限定的な実施形態は、肥料が公認の有機肥料であることを示す徴候を含むか、または肥料もしくは肥料含有容器を、肥料が公認の有機肥料であることを示す徴候と関連させることを含む行為を含んでもよい。
【００７４】
また本開示は、土壌中の窒素含有量を増加させるため、土壌微生物群を増加させるため、作物生産を促進するため、および園芸作物または農作物に肥料を与えるための様々な非限定的な方法を提供する。本方法の特定の非限定的な実施形態に従って、本開示は、本明細書に記載のいずれかの肥料組成物を土壌、またはその中で植物が成長している土壌に適用することを含む土壌の窒素含有量を増加させる方法を提供し、肥料組成物は、植物成長および／または生産を促進する。特定の非限定的な実施形態に従って、肥料組成物は、例えば、芝草の成長を促進する。特定の非限定的な実施形態に従って、肥料組成物を土壌に適用することは、土壌上に肥料組成物を散布することを含む。特定の実施形態に従って、肥料組成物は固体であり、土壌表面上に肥料をまくことによって、肥料が土壌上に散布され、これは土壌中に耕作されるか、または土壌中に灌漑されるか；あるいは肥料は、土壌表面の上または下にバンディング（すなわち、列または「バンド」で適用すること）によって土壌上に散布されてもよい。
【００７５】
他の非限定的な実施形態に従って、土壌上に肥料組成物を散布することが、土壌上に肥料組成物を噴霧することを含んでもよい。例えば、肥料組成物が、水性均質溶液または水性不均質懸濁液のような水性製剤を含む場合、肥料組成物は噴霧されてもよい。肥料組成物が噴霧される特定の非限定的な実施形態で、肥料組成物は、葉面適用によって噴霧されてもよく、すなわち、植物上に直接的に噴霧されてよい。
【００７６】
さらに他の非限定的な実施形態に従って、肥料組成物は水性均質溶液に溶解され、そして水耕系または気耕系によって、植物の根系の少なくとも一部分に適用されてもよい。すなわち、植物の根系を、肥料組成物を含む水性溶液と、例えば、肥料を含む水溶液に根系の少なくとも一部分を浸すことによって、または植物の根系の少なくとも一部分に肥料を含む水溶液のミストを噴霧するか、または他の方法で適用することによって、接触させてもよい。
【００７７】
他の非限定的な実施形態に従って、本開示は、植物または土壌に本明細書に記載の肥料組成物を適用することを含む作物生産を促進する方法を提供する。特定の非限定的な実施形態に従って、肥料組成物は、植物が芝草である植物に適用される。他の非限定的な実施形態に従って、肥料組成物は、植物が商業用作物植物である植物に適用される。
【００７８】
他の非限定的な実施形態に従って、本開示は、肥料組成物が、園芸作物または農作物の成長および／または生産を促進し、そして／あるいは土壌微生物群を増加させるように、園芸作物または農作物、あるいは園芸作物または農作物が植え付けられた土壌に本明細書に記載の肥料組成物を適用することを含む、園芸作物または農作物に肥料を与える方法を提供する。本明細書で使用される場合、「園芸作物または農作物」には、限定されないが、食品、審美性、工業用途、競技用途および販売に対するような要求を満たすいずれかの農業植物または園芸植物が含まれる。潜在的可能性のある「園芸作物または農作物」の非限定的な例としては、限定されないが、果物、野菜、根および塊茎、穀物、花および他の園芸産物、木、低木は芝草および芝、室内植物および工業用作物、例えば、限定されないが、工業製品および食料製品の製造のためのコーンおよび／または大豆が挙げられる。
【００７９】
さらに追加の非限定的な実施形態で、肥料は、第１の地理学的位置で製造され、そして第２の地理学的位置に輸送されてもよい。例えば、様々な要因のため、第１の地理学的位置の施設は、第２の位置の施設よりも、より経済的に生産物を製造できることがある。要因としては、例えば、材料の費用がより低いこと、エネルギーの費用がより低いこと（例えば、電気および／または天然ガスまたは他の石油製品）、労働者の費用がより低いこと（例えば、従業員に払われる賃金）、環境管理または影響の費用がより低いこと、または有機肥料の生産のためのいずれかの他の必要条件が挙げられる。したがって、第１の地理学的位置での生産物の製造費用は、第２の地理学的位置での生産物の製造費用より低くなり得、結果として、第１の地理学的位置でより低い生産費用がもたらされる。
【００８０】
このような場合、肥料は、第１の地理学的位置で製造され、そして例えば、船もしくは荷船による水上輸送、トラック輸送、航空輸送、鉄道輸送または他の輸送手段によって第２の地理学的位置に輸送されてよい。地理学的位置は、郡、州、国、大陸および／またはそれらのいずれかの組み合わせであってよい。このように、生産物は、例えば、第１の郡、州、国または大陸で製造され、そして第２の郡、州、国または大陸に輸送され、そして／または販売されてもよい。
【００８１】
本開示による肥料組成物の様々な実施形態を、以下の実施例で例証する。当業者は、本発明の性質を説明するために以下に記載および図示される実施例の成分、組成、詳細、材料およびプロセスパラメータの様々な変更が、当業者によってなされ得ること、また全てのかかる修正が本明細書および添付の請求の範囲において表現される本発明の原理および範囲内に存続することを認識するであろう。また当業者は、広範な本発明の概念から逸脱することなく、上記および下記の実施形態が変更され得ることを認識するであろう。したがって、本発明は、開示された特定の実施形態に限定されないが、請求の範囲によって定義されるような本発明の原理および範囲内である修正を包含することが理解される。
【実施例】
【００８２】
実施例１
Ｌ−リシン一塩酸塩（ＨＣｌ）である有機化合物を用いて、肥料組成物を製造することができる。Ｌ−リシン一塩酸塩（イリノイ州、ジケーター（Ｄｅｃａｔｕｒ，Ｉｌｌｉｎｏｉｓ）のアーチャー−ダニエルス−ミッドランドカンパニー（Ａｒｃｈｅｒ−Ｄａｎｉｅｌｓ−Ｍｉｄｌａｎｄ  Ｃｏｍｐａｎｙ）、ならびに他の供給元から入手可能）を顆粒状固体または水溶液のいずれかとして利用してよい。Ｌ−リシン（ＨＣｌ）は、９８．５％の純度、約９４．４％の粗製タンパク質含有量（窒素含有量×６．２５で測定される）、約１９．７％のＨＣｌ含有量および約１００％異性体純度で約７８．８％のＬ−リシン含有量を有する。市販のＬ−リシン（ＨＣｌ）は、＜１．１９ｍｍ（８５％）および＜０．１７ｍｍ（５％）の粒度を有する黄褐色顆粒の形態で入手されてもよい。Ｌ−リシン（ＨＣｌ）は、２５℃でＨ２Ｏ中、５００ｇ／Ｌ〜６００ｇ／Ｌの範囲の溶解度を有し、また０．６１ｇ／ｃｍ３〜０．７１ｇ／ｃｍ３の範囲のバルク密度を有する。Ｌ−リシン（ＨＣｌ）は、供給グレード、商業グレードまたは他の適切なグレードであってよい。Ｌ−リシン（ＨＣｌ）は、約１５％の窒素含有量を有し、そして窒素の低単位価格で容易に入手可能である。Ｌ−リシン（ＨＣｌ）は、約０．５６ｋｇ／アール（５０ｌｂｓ／エーカー）〜約１６．８３ｋｇ／アール（１５００ｌｂｓ／エーカー）の量で土壌に適用されてもよい。
【００８３】
実施例２
リキッドリシン（ＬＩＱＵＩＤ  ＬＹＳＩＮＥ）ブランドのリシン（イリノイ州、ジケーター（Ｄｅｃａｔｕｒ，Ｉｌｌｉｎｏｉｓ）のアーチャー−ダニエルス−ミッドランドカンパニー（Ａｒｃｈｅｒ−Ｄａｎｉｅｌｓ−Ｍｉｄｌａｎｄ  Ｃｏｍｐａｎｙ）から入手可能）である有機化合物を用いて、肥料組成物を製造することができる。リキッドリシン（ＬＩＱＵＩＤ  ＬＹＳＩＮＥ）ブランドのリシンは、リシン発酵培養液からリシンを濃縮することによって得られるＬ−リシン遊離塩の約５０％（重量による）水溶液である。リキッドリシン（ＬＩＱＵＩＤ  ＬＹＳＩＮＥ）ブランドのリシンは、約６１．５％の粗製タンパク質含有量（窒素含有量×６．２５で測定される）、約１．１４ｋｇ／Ｌ（９．５ｌｂｓ／ｇａｌ）〜約１．１５ｋｇ／Ｌ（９．６ｌｂｓ／ｇａｌ）の密度および約１００％異性体純度で約５０％のＬ−リシン含有量を有する暗褐色の液体である。リキッドリシン（ＬＩＱＵＩＤ  ＬＹＳＩＮＥ）ブランドのリシンは、約０．０２５Ｌ／アール（１．０Ｌ／エーカー）〜約８．６５Ｌ／アール（３５０Ｌ／エーカー）の量で土壌に直接的に噴霧されるか、または約１重量％〜約９９重量％のリキッドリシン（ＬＩＱＵＩＤ  ＬＹＳＩＮＥ）ブランドのリシンの濃度まで水で希釈して、希釈溶液を約０．０２５Ｌ／アール（１．０Ｌ／エーカー）〜約９８．８４Ｌ／アール（４０００Ｌ／エーカー）の量で土壌に適用してもよい。
【００８４】
実施例３
リキッドリシン（ＬＩＱＵＩＤ  ＬＹＳＩＮＥ）ブランドのリシンである有機化合物を用いて、肥料組成物を製造することができる。リキッドリシン（ＬＩＱＵＩＤ  ＬＹＳＩＮＥ）ブランドのリシンは、５０重量％のＬ−リシン遊離塩（１００％異性体純度）水溶液を含む。リキッドリシン（ＬＩＱＵＩＤ  ＬＹＳＩＮＥ）は、例えば、炭化水素のような少量の他の複合有機分子をさらに含んでもよい。リキッドリシン（ＬＩＱＵＩＤ  ＬＹＳＩＮＥ）は、約１．１３ｇ／ｃｍ３〜約１．１５ｇ／ｃｍ３の範囲の密度および約９．６〜約１１．０の範囲のｐＨを有する暗褐色の液体である。リキッドリシン（ＬＩＱＵＩＤ  ＬＹＳＩＮＥ）は、約５０％（最小）のＬ−リシン含有量および約４８％（最大）の水分含有量を有してもよい。リキッドリシン（ＬＩＱＵＩＤ  ＬＹＳＩＮＥ）は、リシン発酵プロセスのリシン生成物を濃縮して得てもよい。
【００８５】
リキッドリシン（ＬＩＱＵＩＤ  ＬＹＳＩＮＥ）ブランドのリシンは、約４．０８Ｌ／アール（１６５Ｌ／エーカー）〜約１２．２６Ｌ／アール（４９６Ｌ／エーカー）の量において、土壌に直接的に噴霧されてもよい。あるいは、リキッドリシン（ＬＩＱＵＩＤ  ＬＹＳＩＮＥ）は、葉面肥料として植物上に直接的に噴霧されてもよい。リキッドリシン（ＬＩＱＵＩＤ  ＬＹＳＩＮＥ）ブランドのリシンは、所望のレベルまで窒素含有量を調節するために、水で希釈されたり、濃縮されたり（水の除去によって）、または可溶性リシン塩（例えばリシン（ＨＣｌ））を追加されてもよく；そしてリキッドリシン（ＬＩＱＵＩＤ  ＬＹＳＩＮＥ）ブランドのリシンの総量が、約４．０８Ｌ／アール（１６５Ｌ／エーカー）〜約１２．２６Ｌ／アール（４９６Ｌ／エーカー）となるような量で土壌または植物に適用されてよい。
【００８６】
実施例４
本実施例では、グリーン高さのクリーピングベントグラス（ｃｒｅｅｐｉｎｇ  ｂｅｎｔｇｒａｓｓ）に及ぼす肥料の効果を調査した。本開示のいくつかの実施形態による肥料組成物を製造し、そして市販の肥料製品、尿素４６−０−０（顆粒）肥料、レバノン（Ｌｅｂａｎｏｎ）肥料２１−０−１２（顆粒、ペンシルバニア州、レバノン（Ｌｅｂａｎｏｎ，Ｐｅｎｎｓｙｌｖａｎｉａ）のレバノン  シーボード  コーポレイション（Ｌｅｂａｎｏｎ  Ｓｅａｂｏａｒｄ  Ｃｏｒｐｏｒａｔｉｏｎ）から市販品として入手可能）およびミローガナイト（Ｍｉｌｏｒｇａｎｉｔｅ）６−２−０（顆粒、ウィスコンシン州、ミルウォーキー（Ｍｉｌｗａｕｋｅｅ，Ｗｉｓｃｏｎｓｉｎ）のミローガナイト（Ｍｉｌｏｒｇａｎｉｔｅ）から市販品として入手可能）と比較した。約０．４８９ｋｇ／アール（１．０ｌｂ  Ｎ／１０００ｆｔ２）の供給に等しい率で、芝の冬眠状態の前に、肥料組成物を芝草に適用した。各肥料組成物を、１アールあたりの窒素のキログラムが実質的に等しい率で適用した。表１に、肥料の適用から約２週間後の本発明の様々な代表的な肥料を使用する施肥に対する、グリーン高さ（すなわち、ゴルフコースグリーン上の草の高さ）のクリーピングベントグラスの応答を説明する。色および損傷の欄の文字は、ダンカンのマルチプル  レンジ  テスト（Ｄｕｎｃａｎ’ｓ  Ｍｕｌｔｉｐｌｅ  Ｒａｎｇｅ  Ｔｅｓｔ）に対応する。同文字が続く欄の数（平均）は、Ｐ＝０．０５で統計学的に異ならない。
【００８７】
表１のデータが示すように、本発明の代表的な肥料（限定されないが、乾燥大豆粉末、乾燥リシンおよび液体リシンを含む）と、従来の肥料（例えば、尿素、ミローガナイト（ｍｉｌｏｒｇａｎｉｔｅ）およびレバノン（Ｌｅｂａｎｏｎ）肥料）との間で、全体的な色または損傷について、著しい差異は観測されなかった。
【００８８】
【表１】
2009511416.tif 000003
【００８９】
実施例５
本実施例では、芝生高さのケンタッキーブルーグラス（Ｋｅｎｔｕｃｋｙ  ｂｌｕｅｇｒａｓｓ）に及ぼす肥料の効果を調査した。本開示のいくつかの実施形態による肥料組成物を製造し、そして市販の肥料製品、尿素４６−０−０（顆粒）肥料、レバノン（Ｌｅｂａｎｏｎ）肥料２１−０−１２（顆粒、ペンシルバニア州、レバノン（Ｌｅｂａｎｏｎ，Ｐｅｎｎｓｙｌｖａｎｉａ）のレバノン  シーボード  コーポレイション（Ｌｅｂａｎｏｎ  Ｓｅａｂｏａｒｄ  Ｃｏｒｐｏｒａｔｉｏｎ）から市販品として入手可能）およびミローガナイト（Ｍｉｌｏｒｇａｎｉｔｅ）６−２−０（顆粒、ウィスコンシン州、ミルウォーキー（Ｍｉｌｗａｕｋｅｅ，Ｗｉｓｃｏｎｓｉｎ）のミローガナイト（Ｍｉｌｏｒｇａｎｉｔｅ）から市販品として入手可能）と比較した。約０．４８９ｋｇ／アール（１．０ｌｂ  Ｎ／１０００ｆｔ２）の供給に等しい率で、芝の冬眠状態の前に、肥料組成物を芝草に適用した。各肥料組成物を、１アールあたりの窒素のキログラムが実質的に等しい率で適用した。表２に、肥料の適用から約２週間後の本発明の様々な代表的な肥料を使用する施肥に対する、芝生高さのケンタッキーブルーグラスの応答を説明する。色および損傷の欄の文字は、ダンカンのマルチプル  レンジ  テスト（Ｄｕｎｃａｎ’ｓ  Ｍｕｌｔｉｐｌｅ  Ｒａｎｇｅ  Ｔｅｓｔ）に対応する。
【００９０】
表２のデータが示すように、本発明の代表的な肥料（限定されないが、乾燥大豆粉末、乾燥リシンおよび液体リシンを含む）と、従来の肥料（例えば、尿素、ミローガナイト（ｍｉｌｏｒｇａｎｉｔｅ）およびレバノン（Ｌｅｂａｎｏｎ）肥料）との間で、全体的な色または損傷について、著しい差異は観測されなかった。
【００９１】
【表２】
2009511416.tif 000004
【００９２】
実施例６
本実施例では、フェアウェー高さのクリーピングベントグラスに及ぼす肥料の効果を調査した。本開示のいくつかの実施形態による肥料組成物を製造し、そして市販の肥料製品、尿素４６−０−０（顆粒）肥料、レバノン（Ｌｅｂａｎｏｎ）肥料２１−０−１２（顆粒、ペンシルバニア州、レバノン（Ｌｅｂａｎｏｎ，Ｐｅｎｎｓｙｌｖａｎｉａ）のレバノン  シーボード  コーポレイション（Ｌｅｂａｎｏｎ  Ｓｅａｂｏａｒｄ  Ｃｏｒｐｏｒａｔｉｏｎ）から市販品として入手可能）およびミローガナイト（Ｍｉｌｏｒｇａｎｉｔｅ）６−２−０（顆粒、ウィスコンシン州、ミルウォーキー（Ｍｉｌｗａｕｋｅｅ，Ｗｉｓｃｏｎｓｉｎ）のミローガナイト（Ｍｉｌｏｒｇａｎｉｔｅ）から市販品として入手可能）と比較した。約０．４８９ｋｇ／アール（１．０ｌｂ  Ｎ／１０００ｆｔ２）の供給に等しい率で、芝の冬眠状態の前に、肥料組成物を芝草に適用した。各肥料組成物を、１アールあたりの窒素のキログラムが実質的に等しい率で適用した。表３に、肥料の適用から約２週間後の本発明の様々な代表的な肥料を使用する施肥に対する、フェアウェー高さのクリーピングベントグラスの応答を説明する。色および損傷の欄の文字は、ダンカンのマルチプル  レンジ  テスト（Ｄｕｎｃａｎ’ｓ  Ｍｕｌｔｉｐｌｅ  Ｒａｎｇｅ  Ｔｅｓｔ）に対応する。同文字が続く欄の数（平均）は、Ｐ＝０．０５で統計学的に異ならない。
【００９３】
表３のデータが示すように、限定されないが、乾燥大豆粉末、乾燥リシンおよび液体リシンを含む本発明の代表的な肥料と、従来の肥料（例えば、尿素、ミローガナイト（ｍｉｌｏｒｇａｎｉｔｅ）およびレバノン（Ｌｅｂａｎｏｎ）肥料）との間で、全体的な色または損傷について、著しい差異は観測されなかった。
【００９４】
【表３】
2009511416.tif 000005
【００９５】
実施例７
大豆ミールおよびリシン（ＨＣｌ）を含む肥料組成物の第１の製剤を製造した（製剤１）。肥料組成物は、６２．０２重量％の４７．５％大豆ミール組成物（１２４０．４ｇ）、３４．９８重量％のリシン（ＨＣｌ）（６９９．６ｇ、９８％純度）および３．００重量％の大豆油（６０．０ｇ））を含んだ。
【００９６】
大豆ミールおよびリシン（ＨＣｌ）を含む肥料組成物の第２の製剤を製造した（製剤２）。肥料組成物は、６２．０２重量％の４７．５％大豆ミール組成物（１２４０．４ｇ）、３４．９８重量％の顆粒状リシン（ＨＣｌ）（６９９．６ｇ、９８％純度）および３．００重量％のコーティング水素化大豆油（６０．０ｇ）を含んだ。
【００９７】
約１０％〜約１０．５％の窒素含有量を有する顆粒状肥料として、肥料組成物を製造した。肥料組成物（製剤１および２）の養分分析を表４に示す。得られた肥料組成物は黄褐色を有し、心地よい臭気に対して中立を有した。溶解性試験によって、リシン成分は水中に溶解するが、大豆ベースのタンパク質粒子は、完全に水和されるが、実質的にそれらの形状を維持したことが示された。肥料組成物を土壌または芝草のような作物に適用した。
【００９８】
【表４】
2009511416.tif 000006
【００９９】
実施例８
本実施例で、土壌微生物群（細菌および菌類）に及ぼす肥料組成物の様々な実施形態の効果を調査した。本実施例では、ケンタッキーブルーグラス芝に肥料を適用して２４、４８および７２時間後の全微生物群に対する効果を比較した。
【０１００】
以下の肥料組成物を使用した：尿素、乾燥リシン（リシン（ＨＣｌ）、リキッドリシン（ＬＩＱＵＩＤ  ＬＹＳＩＮＥ）ブランドのリシン水溶液（イリノイ州、ジケーター（Ｄｅｃａｔｕｒ，Ｉｌｌｉｎｏｉｓ）のアーチャー−ダニエルス−ミッドランド  カンパニー（Ａｒｃｈｅｒ−Ｄａｎｉｅｌｓ−Ｍｉｄｌａｎｄ  Ｃｏｍｐａｎｙ）から入手可能）、スレオニン細胞集団、リシン細胞集団、および大豆／リシンの組み合わせ（乾燥リシンおよび大豆フラワー、大豆フレークおよび大豆油の顆粒状混合物）。スレオニン細胞集団の分析を表５に示す。微生物群に及ぼす肥料組成物の効果を、肥料組成物が適用されなかった対照プロットと比較した。乾燥リシンを水中に溶解し、そして芝プロット上に噴霧することによって適用した。微生物群を２４時間、４８時間および７２時間後に測定し、そして結果を図１に示す。０．４８９ｋｂ  Ｎ／アール（１．０ｌｂ  Ｎ／１０００ｆｔ２）の率でケンタッキーブルーグラス芝に肥料組成物を適用した。芝からの土壌試料を、標準プレートカウントおよび希釈シリーズによって全土壌細菌および菌類に関して分析した。
【０１０１】
【表５】
2009511416.tif 000007
【０１０２】
尿素および乾燥リシン処理は、微生物群に関して対照と著しく異ならず、これは、リシンがほとんど尿素と同じぐらい分子的に単純であることを示す。液体リシン材料は、同一窒素率で、乾燥リシンよりいくらか反応性であった。スレオニン細胞集団は、２４時間以内、７２時間まで、土壌微生物活性に対して非常に明らかで著しい効果を有した。スレオニン処理は、４８時間後、対照より約７倍高かった。実行された大豆フラワー／フレーク／リシン顆粒は、７２時間で著しい増加を示し、これは対照より４〜５倍高く、なお高くなる傾向があった。これは、より長い残存活性を有する著しい反応を示した。
【０１０３】
実施例９
本実施例で、温暖な季節の芝草成長に及ぼすリシンを含む肥料の効果を調査した。一般的な種類の芝生品質の芝草（セントオーガスティングラス（Ｓｔ．Ａｕｇｕｓｔｉｎｅ  ｇｒａｓｓ））に及ぼすリシン（ＨＣｌ）およびリキッドリシン（ＬＩＱＵＩＤ  ＬＹＳＩＮＥ）の効果について、尿素およびミローガナイト（Ｍｉｌｏｒｇａｎｉｔｅ）の効果と比較した。セントオーガスティングラスは、芝生ターンとして温暖な熱帯地域を通して一般的に利用される芝草であって、市販品として著しい種である。
【０１０４】
各肥料組成物（ミローガナイト（Ｍｉｌｏｒｇａｎｉｔｅ）（Ｎ−Ｐ−Ｋ、６−２−０）、尿素（Ｎ−Ｐ−Ｋ、４６−０−０）、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の３つの濃度を含む１２の肥料処理を調製し、そしてフロラタム（Ｆｌｏｒａｔａｍ）セントオーガスティングラスに４回繰り返して適用した。リシン（ＨＣｌ）は、適用前に水中に溶解された。各肥料処理は、０．２４４ｋｇ  Ｎ／アール／月（０．５ｌｂ  Ｎ／１０００ｆｔ２／月）、０．４８９ｋｇ  Ｎ／アール／月（１．０ｌｂ  Ｎ／１０００ｆｔ２／月）および１．４７ｋｇ  Ｎ／アール／月（３．０ｌｂ  Ｎ／１０００ｆｔ２／月）の濃度で適用された。尿素、リキッドリシン（ＬＩＱＵＩＤ  ＬＹＳＩＮＥ）およびリシン（ＨＣｌ）は葉面液体として適用されたが、ミローガナイト（Ｍｉｌｏｒｇａｎｉｔｅ）は顆粒状肥料として適用された。プロットサイズは、ランダム化された完全なブロックとしてセットアップされた１ｍ×２ｍであった。プロットは、肥料適用前に７．６ｃｍ（３．０インチ）に刈られた。適用後に、潅漑（０．３８ｃｍ（０．１５インチ））は適用された。試験期間で、プロットを芝草品質および色（１〜１０のスケール、１０＝濃緑色の芝生、１＝死滅／茶色の芝生であり、６＝最小限で許容できる芝生）、ならびに植物毒性（０〜５のスケール、５＝最悪であり、２＝最小限で好ましくない）に関して評価した。品質、色および植物毒性は、適用の２日前（−２日）、ならびに適用後２日、５日、１５日および２１日に測定された。全てのデータは統計分析を行い、重要な意味を決定した。処理の平均芝草品質評価を表６に示し、そして０．４８９ｋｇ  Ｎ／アール／月（１．０ｌｂ  Ｎ／１０００ｆｔ２／月）の適用率での品質結果を図２に図示する。平均芝草色評価は、表７に示す。平均植物毒性評価を表８に示す。全ての肥料組成物に対する平均２−月芝草品質評価を図３に示す。
【０１０５】
【表６】
2009511416.tif 000008
【０１０６】
【表７】
2009511416.tif 000009
【０１０７】
【表８】
2009511416.tif 000010
【０１０８】
リシンベースの肥料処理は、両方とも、全ての適用レベルで、尿素と同等で、ミローガナイト（ｍｉｌｏｒｇａｎｉｔｅ）よりも高い品質および色結果を有した。両リシンベースの肥料処理およびミローガナイト（ｍｉｌｏｒｇａｎｉｔｅ）処理は、全３レベルの適用で、著しい植物毒性を示さなかった。尿素は、０．４８９ｋｇ  Ｎ／アール（１．０ｌｂ  Ｎ／１０００ｆｔ２）および１．４７ｋｇ  Ｎ／アール（３．０ｌｂ  Ｎ／１０００ｆｔ２）の適用率でいくらかの植物毒性を示した。２つのリシン肥料組成物は、セントオーガスティングラス（芝草）に対して、植物毒性は低かったが、尿素と同様の迅速な成長および色応答を実証し、またミローガナイト（ｍｉｌｏｒｇａｎｉｔｅ）に関して観測されたものよりも高い成長および色応答を示す。
【０１０９】
実施例１０
本実施例で、温暖な季節の芝草成長に及ぼすリシンを含む肥料の効果を調査した。一般的な種類のゴルフコースフェアウェー品質芝草（バミューダグラス（Ｂｅｒｍｕｄａ  ｇｒａｓｓ））に及ぼすリシン（ＨＣｌ）およびリキッドリシン（ＬＩＱＵＩＤ  ＬＹＳＩＮＥ）の効果について、尿素およびミローガナイト（Ｍｉｌｏｒｇａｎｉｔｅ）の効果と比較した。
【０１１０】
各肥料組成物（ミローガナイト（Ｍｉｌｏｒｇａｎｉｔｅ）（Ｎ−Ｐ−Ｋ、６−２−０）、尿素（Ｎ−Ｐ−Ｋ、４６−０−０）、リキッドリシン（ＬＩＱＵＩＤ  ＬＹＳＩＮＥ）（Ｎ−Ｐ−Ｋ、１０−２−１）ならびに顆粒状および水性リシン（ＨＣｌ）（Ｎ−Ｐ−Ｋ、１５−２−１））の３つの濃度を含む１５の肥料処理を調製し、そしてバミューダグラスに４回繰り返して適用した。水性リシン（ＨＣｌ）は、適用前に水中に溶解された。各肥料処理は、０．２４４ｋｇ  Ｎ／アール／月（０．５ｌｂ  Ｎ／１０００ｆｔ２／月）、０．４８９ｋｇ  Ｎ／アール／月（１．０ｌｂ  Ｎ／１０００ｆｔ２／月）および１．４７ｋｇ  Ｎ／アール／月（３．０ｌｂ  Ｎ／１０００ｆｔ２／月）の濃度で適用された。尿素、リキッドリシン（ＬＩＱＵＩＤ  ＬＹＳＩＮＥ）および水性リシン（ＨＣｌ）は葉面液体として適用されたが、ミローガナイト（Ｍｉｌｏｒｇａｎｉｔｅ）および顆粒状リシン（ＨＣｌ）は顆粒状肥料として適用された。プロットサイズは、ランダム化された完全なブロックとしてセットアップされた１ｍ×２ｍであった。プロットは、肥料適用前に１．３ｃｍ（０．５インチ）に刈られた。適用後に、潅漑（０．３８ｃｍ（０．１５インチ））は適用された。試験期間で、プロットを芝草品質および色（１〜１０のスケール、１０＝濃緑色の芝生、１＝死滅／茶色の芝生であり、６＝最小限で許容できる芝生）、ならびに植物毒性（０〜５のスケール、５＝最悪であり、２＝最小限で好ましくない）に関して評価した。品質、色および植物毒性は、適用の２日前（−２日）、ならびに適用後２日、５日、１５日および２１日に測定された。全てのデータは統計分析を行い、重要な意味を決定した。処理の平均芝草品質評価を表９に示し、そして０．４８９ｋｇ  Ｎ／アール／月（１．０ｌｂ  Ｎ／１０００ｆｔ２／月）の適用率での品質結果を図４に図示する。平均芝草色評価は、表１０に示す。平均植物毒性評価を表１１に示す。４つの肥料組成物に対する平均２−月芝草品質評価を図５に示す。
【０１１１】
【表９】
2009511416.tif 000011
【０１１２】
【表１０】
2009511416.tif 000012
【０１１３】
【表１１】
2009511416.tif 000013
【０１１４】
全３つのリシンベースの肥料処理は、全ての適用レベルで、バミューダグラスに対して、尿素およびミローガナイト（ｍｉｌｏｒｇａｎｉｔｅ）と同等であるか、またはより良好な品質および色結果を有した。全ての肥料処理は、全３レベルの適用で、著しい植物毒性を示さなかった。
【０１１５】
実施例１１
本実施例で、温暖な季節の芝草成長に及ぼすリシンを含む肥料の効果を調査した。一般的な種類のゴルフコースグリーン品質芝草（ウルトラ−ドワーフ（Ｕｌｔｒａ−ｄｗａｒｆ）バミューダグラス）に及ぼすリシン（ＨＣｌ）およびリキッドリシン（ＬＩＱＵＩＤ  ＬＹＳＩＮＥ）の効果について、尿素およびミローガナイト（Ｍｉｌｏｒｇａｎｉｔｅ）の効果と比較した。
【０１１６】
各肥料組成物（ミローガナイト（Ｍｉｌｏｒｇａｎｉｔｅ）（Ｎ−Ｐ−Ｋ、６−２−０）、尿素（Ｎ−Ｐ−Ｋ、４６−０−０）、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の３つの濃度を含む１２の肥料処理を調製し、そしてウルトラ−ドワーフバミューダグラスに３回繰り返して適用した。リシン（ＨＣｌ）は、適用前に水中に溶解された。各肥料処理は、０．６１１ｋｇ  Ｎ／アール／週（０．１２５ｌｂ  Ｎ／１０００ｆｔ２／週）、０．１２２ｋｇ  Ｎ／アール／週（０．２５ｌｂ  Ｎ／１０００ｆｔ２／週）および０．３６７ｋｇ  Ｎ／アール／週（０．７５ｌｂ  Ｎ／１０００ｆｔ２／週）の濃度で適用された。尿素、リキッドリシン（ＬＩＱＵＩＤ  ＬＹＳＩＮＥ）およびリシン（ＨＣｌ）は葉面液体として適用されたが、ミローガナイト（Ｍｉｌｏｒｇａｎｉｔｅ）は顆粒状肥料として適用された。プロットサイズは、ランダム化された完全なブロックとしてセットアップされた１ｍ×１ｍであった。プロットは、肥料適用前に０．３１８ｃｍ（０．１２５インチ）に刈られた。適用後に、潅漑（０．３７ｃｍ（０．１５インチ））は適用された。試験期間で、プロットを芝草品質および色（１〜１０のスケール、１０＝濃緑色の芝生、１＝死滅／茶色の芝生であり、６＝最小限で許容できる芝生）、ならびに植物毒性（０〜５のスケール、５＝最悪であり、２＝最小限で好ましくない）に関して評価した。品質、色および植物毒性は、適用の２日前（−２日）、ならびに適用後２日、５日、１５日および２１日に測定された。全てのデータは統計分析を行い、重要な意味を決定した。処理の平均芝草品質評価を表１２に示し、そして０．１２２ｋｇ  Ｎ／アール／週（０．２５ｌｂ  Ｎ／１０００ｆｔ２／週）の適用率での品質結果を図６に図示する。平均芝草色評価は、表１３に示す。平均植物毒性評価を表１４に示す。全ての肥料組成物に対する平均２−月芝草品質評価を図７に示す。
【０１１７】
【表１２】
2009511416.tif 000014
【０１１８】
【表１３】
2009511416.tif 000015
【０１１９】
【表１４】
2009511416.tif 000016
【０１２０】
リシンベースの肥料処理は、両方とも、全ての適用レベルで、グリーン長さのウルトラ−ドワーフバミューダグラスに対して、尿素と同等で、ミローガナイト（ｍｉｌｏｒｇａｎｉｔｅ）よりも高い品質および色結果を有した。全ての肥料処理は、全３レベルの適用で、著しい植物毒性を示さなかった。
【０１２１】
実施例１２
本実施例で、芝草成長に及ぼすリシンを含む肥料の効果を調査した。一般的な種類のゴルフコースグリーン品質芝草（グリーン用クリーピングベントグラス）に及ぼすリシン（ＨＣｌ）およびリキッドリシン（ＬＩＱＵＩＤ  ＬＹＳＩＮＥ）の効果について、コロン（ＣｏＲｏＮ）（登録商標）ブランド肥料（テネシー州、コリアビル（Ｃｏｌｌｉｅｒｖｉｌｌｅ，Ｔｅｎｎｅｓｓｅｅ）のヘレナ  ケミカル  カンパニー（Ｈｅｌｅｎａ  Ｃｈｅｍｉｃａｌ  Ｃｏ．）から市販品として入手可能）の効果と比較した。
【０１２２】
各肥料組成物（コロン（Ｃｏｒｏｎ）（登録商標）（Ｎ−Ｐ−Ｋ、１４−２−１４）、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の３つの濃度を含む９の肥料処理を調製し、そしてゴルフコースグリーンで使用するためのクリーピングベントグラスに３回繰り返して適用した。リシン（ＨＣｌ）（２５０ｇ）は、適用前に水（５００ｍＬ）中に溶解された。各肥料処理は、０．７ｇ  Ｎ／ｍ２、１．４ｇ  Ｎ／ｍ２および２．８ｇ  Ｎ／ｍ２の濃度で適用された。オルト  ヘビー  デューティ（Ｏｒｔｈｏ  Ｈｅａｖｙ  Ｄｕｔｙ）ハンドポンプ噴霧機を使用して全ての適用を行なった。全ての製品は、適用のため、１２６ｍＬの水と混合された。プロットサイズは、ランダム化された完全なブロックとしてセットアップされた０．６１ｍ×１．８３ｍであった。適用後に、潅漑は適用された。試験期間で、プロットを芝草品質および色（１〜１０のスケール、１０＝濃緑色の芝生、１＝死滅／茶色の芝生であり、６＝最小限で許容できる芝生）、ならびに植物毒性（焼け％）に関して評価した。品質、色および植物毒性は、適用後７日、１４日、２１日、２８日、３５日および４２日に測定された。全てのデータは統計分析を行い、重要な意味を決定した。処理の平均芝草品質評価を表１５に示す。平均芝草色評価は、表１６に示す。平均植物毒性評価（焼け％）を表１７に示す。
【０１２３】
【表１５】
2009511416.tif 000017
【０１２４】
【表１６】
2009511416.tif 000018
【０１２５】
【表１７】
2009511416.tif 000019
【０１２６】
リシンベースの肥料組成物は、８．１５Ｌ／アール（２．０ｇａｌ  Ｈ２Ｏ／１０００ｆｔ２）未満で適用された場合、２．８ｇ  Ｎ／ｍ２（０．５ｌｂ  Ｎ／１０００ｆｔ２）より低い適用率で許容できる芝草品質を示した。葉面処理として（すなわち、葉を湿潤して）厳密に使用される場合、適用率が高いほど葉面の焼けをもたらす可能性がある。
【０１２７】
実施例１３
本実施例で、芝草成長に及ぼすリシンを含む肥料の効果を調査した。一般的な種類のゴルフコースフェアウェー品質芝草（バミューダグリーン）に及ぼすリシン（ＨＣｌ）およびリキッドリシン（ＬＩＱＵＩＤ  ＬＹＳＩＮＥ）の効果について、コロン（ＣｏＲｏＮ）（登録商標）ブランド肥料の効果と比較した。
【０１２８】
各肥料組成物（コロン（Ｃｏｒｏｎ）（登録商標）（Ｎ−Ｐ−Ｋ、１４−２−１４）、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の２つの濃度を含む６の肥料処理を調製し、そしてゴルフコースフェアウェーで使用するためのバミューダグラスに３回繰り返して適用した。リシン（ＨＣｌ）は、４．５の設定でスコッツ（Ｓｃｏｔｔｓ）０．６１ｍ（２フィート）ドロップ散布機を使用して、顆粒状で適用された。１．５ｍ（５フィート）スプレーパターンでバーチマイアー（Ｂｉｒｃｈｍｅｉｅｒ）バックパック噴霧機を使用して、リキッドリシン（ＬＩＱＵＩＤ  ＬＹＳＩＮＥ）およびコロン（Ｃｏｒｏｎ）の溶液を適用した。各肥料処理は、１．４７ｋｇ  Ｎ／アール（３．０ｌｂ  Ｎ／１０００ｆｔ２）および２．９３ｋｇ  Ｎ／アール（６．０ｌｂ  Ｎ／１０００ｆｔ２）の濃度で適用された。プロットサイズは、ランダム化された完全なブロックとしてセットアップされた１．５ｍ×１．８３ｍであった。適用後に、潅漑は適用された。試験期間で、プロットを芝草品質および色（１〜１０のスケール、１０＝濃緑色の芝生、１＝死滅／茶色の芝生であり、６＝最小限で許容できる芝生）、ならびに植物毒性（焼け％）に関して評価し、２つの未処理のプロットと比較した。品質、色および植物毒性は、適用後７日、１４日、２１日、２８日、３５日および４２日に測定された。全てのデータは統計分析を行い、重要な意味を決定した。処理の平均芝草品質評価を表１８に示す。平均芝草色評価は、表１９に示す。平均植物毒性評価（焼け％）を表２０に示す。
【０１２９】
【表１８】
2009511416.tif 000020
【０１３０】
【表１９】
2009511416.tif 000021
【０１３１】
【表２０】
2009511416.tif 000022
【０１３２】
リシンベースの肥料組成物は、８．１５Ｌ／アール（２．０ｇａｌ  Ｈ２Ｏ／１０００ｆｔ２）未満で適用された場合、２．９３ｋｇ  Ｎ／アール（６．０ｌｂ  Ｎ／１０００ｆｔ２）より低い適用率で許容できる芝草品質を示した。葉面処理として（すなわち、葉を湿潤して）厳密に使用される場合、適用率が高いほど葉面の焼けをもたらす可能性がある。
【０１３３】
実施例１４
本実施例で、芝草成長に及ぼすリシンを含む肥料の効果を調査した。一般的な種類の芝生品質の芝草（ライゾマタス（ｒｈｉｚｏｍａｔｏｕｓ）トールフェスキュ（ｔａｌｌ  ｆｅｓｃｕｅ））に及ぼすリシン（ＨＣｌ）およびリキッドリシン（ＬＩＱＵＩＤ  ＬＹＳＩＮＥ）の効果について、コロン（ＣｏＲｏＮ）（登録商標）ブランド肥料の効果と比較した。
【０１３４】
各肥料組成物（コロン（Ｃｏｒｏｎ）（登録商標）（Ｎ−Ｐ−Ｋ、１４−２−１４）、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の２つの濃度を含む６の肥料処理を調製し、そしてライゾマタス（ｒｈｉｚｏｍａｔｏｕｓ）トールフェスキュに３回繰り返して適用した。１．５ｍ（５フィート）スプレーパターンでバーチマイアー（Ｂｉｒｃｈｍｅｉｅｒ）バックパック噴霧機を使用して、リシン（ＨＣｌ）（１．８９Ｌ（０．５ｇａｌの水）に溶解）、リキッドリシン（ＬＩＱＵＩＤ  ＬＹＳＩＮＥ）およびコロン（Ｃｏｒｏｎ）の溶液を適用した。各肥料処理は、０．９７７ｋｇ  Ｎ／アール（２．０ｌｂ  Ｎ／１０００ｆｔ２）の適用率での３分割適用か、または０．４８９ｋｇ  Ｎ／アール（１．０ｌｂ  Ｎ／１０００ｆｔ２）の適用率での６分割適用のいずれかで適用された。プロットサイズは、ランダム化された完全なブロックとしてセットアップされた２．７ｍ×２．７ｍであった。適用後に、潅漑は適用された。試験期間で、プロットを芝草品質および色（１〜１０のスケール、１０＝濃緑色の芝生、１＝死滅／茶色の芝生であり、６＝最小限で許容できる芝生）、ならびに植物毒性（焼け％）に関して評価し、２つの未処理のプロットと比較した。品質、色および植物毒性は、適用後７日、１４日、２１日、２８日、３５日および４２日に測定された。全てのデータは統計分析を行い、重要な意味を決定した。処理の平均芝草品質評価を表２１に示す。平均芝草色評価は、表２２に示す。平均植物毒性評価（焼け％）を表２３に示す。
【０１３５】
【表２１】
2009511416.tif 000023
【０１３６】
【表２２】
2009511416.tif 000024
【０１３７】
【表２３】
2009511416.tif 000025
【０１３８】
リシンベースの肥料組成物は、８．１５Ｌ／アール（２．０ｇａｌ  Ｈ２Ｏ／１０００ｆｔ２）未満で適用された場合、０．９７７ｋｇ  Ｎ／アール（２．０ｌｂ  Ｎ／１０００ｆｔ２）より低い適用率で許容できる芝草品質を示した。葉面処理として（すなわち、葉を湿潤して）厳密に使用される場合、適用率が高いほど葉面の焼けをもたらす可能性がある。
【０１３９】
実施例１５
本実施例で、涼しい季節のフェアウェー芝草成長に及ぼすリシンを含む肥料の効果を調査した。一般的な種類のゴルフコースフェアウェー変種芝草（ゴルフコースフェアウェーとして維持されたペンリンクス（Ｐｅｎｎｌｉｎｋｓ）クリーピングベントグラス）に及ぼすリシン（ＨＣｌ）およびリキッドリシン（ＬＩＱＵＩＤ  ＬＹＳＩＮＥ）の効果について、尿素、ミローガナイト（Ｍｉｌｏｒｇａｎｉｔｅ）およびブレンド肥料（約１：１の比率でのメチレン尿素および尿素のブレンド）の効果と比較した。
【０１４０】
各肥料組成物（ミローガナイト（Ｍｉｌｏｒｇａｎｉｔｅ）（Ｎ−Ｐ−Ｋ、６−２−０）、尿素（Ｎ−Ｐ−Ｋ、４６−０−０）、ブレンド肥料、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の３つの濃度を含む１５の肥料処理を調製し、そして良好に確立された、ゴルフコースフェアウェーグラスとして維持されたペンリンクス（Ｐｅｎｎｌｉｎｋｓ）クリーピングベントグラスに３回繰り返して適用した。尿素、リシン（ＨＣｌ）およびリキッドリシン（ＬＩＱＵＩＤ  ＬＹＳＩＮＥ）は、適用前に５．６８Ｌ（１．５ｇａｌ）の水中に溶解／懸濁された。各肥料処理は、０．２４４ｋｇ  Ｎ／アール／月（０．５ｌｂ  Ｎ／１０００ｆｔ２／月）、０．４８９ｋｇ  Ｎ／アール／月（１．０ｌｂ  Ｎ／１０００ｆｔ２／月）および１．４７ｋｇ  Ｎ／アール／月（３．０ｌｂ  Ｎ／１０００ｆｔ２／月）の濃度で適用された。尿素、リキッドリシン（ＬＩＱＵＩＤ  ＬＹＳＩＮＥ）およびリシン（ＨＣｌ）は葉面液体として適用されたが、ミローガナイト（Ｍｉｌｏｒｇａｎｉｔｅ）およびブレンド肥料は顆粒状肥料として適用された。プロットサイズは、複製された完全なブロックのデザインでレイアウトされた１．２ｍ×２．４ｍであった。プロットは、肥料適用前に１．３ｃｍ（０．５インチ）に刈られ、そして１週間あたり３回、１．３ｃｍ（０．５インチ）の高さまで刈られた。刈り取った草をプロットから除去せず、補助的な栽培メンテナンスを施さなかった。適用後およびその後、１日ごとに、潅漑（０．３８ｃｍ（０．１５インチ））は適用された。試験期間で、プロットを芝草品質（１〜９のスケール、９＝濃緑色の芝生、１＝死滅／茶色の芝生であり、６＝最小限で許容できる芝生）および植物毒性（０〜９のスケール、９＝著しい葉面損傷であり、２＝最小限で好ましくない葉面損傷）に関して評価した。品質は、適用前（０日）、ならびに適用後３７日、７０日および９５日に測定された。損傷は、適用後３７日、７０日および９５日に測定された。全てのデータは統計分析を行い、重要な意味を決定した。処理の平均芝草品質評価を表２４に示す。平均芝草損傷評価を表２５に示す。
【０１４１】
【表２４】
2009511416.tif 000026
【０１４２】
【表２５】
2009511416.tif 000027
【０１４３】
リシンベースの肥料処理は、両方とも、全ての適用レベルで、フェアウェー変種クリーピングベントグラスに対して、尿素、ミローガナイト（Ｍｉｌｏｒｇａｎｉｔｅ）およびブレンド無機肥料と同様の品質および損傷結果における性能を有した。リシンベースの肥料の性能は、それらが同様の残存活性および他の材料を有することを示す。
【０１４４】
実施例１６
本実施例で、涼しい季節のグリーン品質芝草成長に及ぼすリシンを含む肥料の効果を調査した。一般的な種類のゴルフコースグリーン品質芝草（０．１８７５インチの高さで刈られた、グリーン用ペンリンクス（Ｐｅｎｎｌｉｎｋｓ）クリーピングベントグラス）に及ぼすリシン（ＨＣｌ）およびリキッドリシン（ＬＩＱＵＩＤ  ＬＹＳＩＮＥ）の効果について、尿素、ミローガナイト（Ｍｉｌｏｒｇａｎｉｔｅ）およびブレンド肥料（約１：１の比率でのメチレン尿素および尿素のブレンド）の効果と比較した。
【０１４５】
各肥料組成物（ミローガナイト（Ｍｉｌｏｒｇａｎｉｔｅ）（Ｎ−Ｐ−Ｋ、６−２−０）、尿素（Ｎ−Ｐ−Ｋ、４６−０−０）、ブレンド肥料、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の３つの濃度を含む１５の肥料処理を調製し、そして良好に確立された、０．４８ｃｍ（０．１８７５インチ）の高さに刈られたペンリンクス（Ｐｅｎｎｌｉｎｋｓ）クリーピングベントグラスに３回繰り返して適用した。尿素、リシン（ＨＣｌ）およびリキッドリシン（ＬＩＱＵＩＤ  ＬＹＳＩＮＥ）は、適用前に５．６８Ｌ（１．５ｇａｌ）の水中に溶解／懸濁された。各肥料処理は、０．０６１１ｋｇ  Ｎ／アール／週（０．１２５ｌｂ  Ｎ／１０００ｆｔ２／週）、０．１２２ｋｇ  Ｎ／アール／週（０．２５ｌｂ  Ｎ／１０００ｆｔ２／週）および０．３６７ｋｇ  Ｎ／アール／週（０．７５ｌｂ  Ｎ／１０００ｆｔ２／週）の濃度で適用された。尿素、リキッドリシン（ＬＩＱＵＩＤ  ＬＹＳＩＮＥ）およびリシン（ＨＣｌ）は葉面液体として適用されたが、ミローガナイト（Ｍｉｌｏｒｇａｎｉｔｅ）およびブレンド肥料は顆粒状肥料として適用された。プロットサイズは、複製された完全なブロックのデザインでレイアウトされた１．２ｍ×１．２ｍであった。プロットは、肥料適用前に０．４８ｃｍ（０．１８７５インチ）の高さに刈られ、そして１週間あたり５回、０．４８ｃｍ（０．１８７５インチ）の高さまで刈られた。各刈り取り後、刈り取った草をプロットから除去した。適用後およびその後、毎日、潅漑（０．３８ｃｍ（０．１５インチ））は適用された。試験期間で、プロットを芝草品質（１〜９のスケール、９＝濃緑色の芝生、１＝死滅／茶色の芝生であり、６＝最小限で許容できる芝生）および植物毒性（０〜９のスケール、９＝著しい葉面損傷であり、２＝最小限で好ましくない葉面損傷）に関して評価した。品質は、適用前（０日）、ならびに適用後３７日、７０日および９５日に測定された。損傷は、適用後３７日、７０日および９５日に測定された。同様の適用率および方法で大豆濃縮物肥料の３つの処理によって、追加の組の芝草プロットに肥料を与えた。大豆濃縮物肥料プロットの品質および植物毒性損傷を９５日に測定した。全てのデータは統計分析を行い、重要な意味を決定した。処理の平均芝草品質評価を表２６に示す。平均芝草損傷評価を表２７に示す。
【０１４６】
【表２６】
2009511416.tif 000028
【０１４７】
【表２７】
2009511416.tif 000029
【０１４８】
リシンベースの肥料処理は、両方とも、全ての適用レベルで、グリーン長さのクリーピングベントグラスに対して、尿素と同等で、ミローガナイト（ｍｉｌｏｒｇａｎｉｔｅ）よりも優れた品質を有した。全ての肥料処理は、全３レベルの適用で、著しい植物毒性を示さなかった。
【０１４９】
実施例１７
本実施例で、涼しい季節の芝生変種芝草成長に及ぼすリシンを含む肥料の効果を調査した。一般的な品種の芝生芝草（ムーンライト（ｍｏｏｎｌｉｇｈｔ）ケンタッキーブルーグラス）に及ぼすリシン（ＨＣｌ）およびリキッドリシン（ＬＩＱＵＩＤ  ＬＹＳＩＮＥ）の効果について、尿素、ミローガナイト（Ｍｉｌｏｒｇａｎｉｔｅ）およびブレンド肥料（約１：１の比率でのメチレン尿素および尿素のブレンド）の効果と比較した。
【０１５０】
各肥料組成物（ミローガナイト（Ｍｉｌｏｒｇａｎｉｔｅ）（Ｎ−Ｐ−Ｋ、６−２−０）、尿素（Ｎ−Ｐ−Ｋ、４６−０−０）、ブレンド肥料、リキッドリシン（ＬＩＱＵＩＤ  ＬＹＳＩＮＥ）（Ｎ−Ｐ−Ｋ、１０−２−１）およびリシン（ＨＣｌ）（Ｎ−Ｐ−Ｋ、１５−２−１））の３つの濃度を含む１５の肥料処理を調製し、そして新しく確立された「ムーンライト（ｍｏｏｎｌｉｇｈｔ）」品種ケンタッキーブルーグラス芝生芝草に３回繰り返して適用した。尿素、リシン（ＨＣｌ）およびリキッドリシン（ＬＩＱＵＩＤ  ＬＹＳＩＮＥ）は、適用前に５．６８Ｌ（１．５ｇａｌ）の水中に溶解／懸濁された。各肥料処理は、０．２４４ｋｇ  Ｎ／アール／月（０．５ｌｂ  Ｎ／１０００ｆｔ２／月）、０．４８９ｋｇ  Ｎ／アール／月（１．０ｌｂ  Ｎ／１０００ｆｔ２／月）および１．４７ｋｇ  Ｎ／アール／月（３．０ｌｂ  Ｎ／１０００ｆｔ２／月）の濃度で適用された。尿素、リキッドリシン（ＬＩＱＵＩＤ  ＬＹＳＩＮＥ）およびリシン（ＨＣｌ）は葉面液体として適用されたが、ミローガナイト（Ｍｉｌｏｒｇａｎｉｔｅ）およびブレンド肥料は顆粒状肥料として適用された。プロットサイズは、複製された完全なブロックのデザインでレイアウトされた１．２ｍ×２．４ｍであった。プロットは、肥料適用前に５．１ｃｍ（２．０インチ）に刈られ、そして１週間あたり２回、５．１ｃｍ（２．０インチ）の高さまで刈られた。刈り取った草をプロットから除去せず、補助的な栽培メンテナンスまたは有害生物管理を施さなかった。適用後およびその後、芝地の残存を確実にするために必要な時のみ、潅漑（０．３８ｃｍ（０．１５インチ））は適用された。試験期間で、プロットを芝草品質（１〜９のスケール、９＝濃緑色の芝生、１＝死滅／茶色の芝生であり、６＝最小限で許容できる芝生）および植物毒性（０〜９のスケール、９＝著しい葉面損傷であり、２＝最小限で好ましくない葉面損傷）に関して評価した。品質は、適用前（０日）、ならびに適用後３７日、７０日および９５日に測定された。損傷は、適用後３７日および７０日に測定された。加えて、適用後７０日に草の葉の密度を測定した（１〜９のスケール、９＝非常に密集した芝地、１＝低密度芝地）。全てのデータは統計分析を行い、重要な意味を決定した。処理の平均芝草品質評価を表２８に示す。平均芝草損傷評価および７０日の平均密度を表２９に示す。
【０１５１】
【表２８】
2009511416.tif 000030
【０１５２】
【表２９】
2009511416.tif 000031
【０１５３】
リシンベースの肥料処理は、両方とも、全ての適用レベルで、ケンタッキーブルーグラスに対して、尿素、ミローガナイト（Ｍｉｌｏｒｇａｎｉｔｅ）およびブレンド無機肥料と同等の品質評価を有した。通常の適用率の３倍で適用された材料では（すなわち、１．４７ｋｇ  Ｎ／アール（３．０ｌｂｓ  Ｎ／１０００ｆｔ２））、最良の芝草品質が得られた。
【０１５４】
実施例１８
本実施例で、芝草成長および色に及ぼす発酵バイオマス組成物を含む有機肥料の効果を調査した。肥料処理は、リシン硫酸塩、クエン酸発酵バイオマスおよびポリヒドロキシアルカノエート（ＰＨＡ）生産プロセスの副生成物を含む発酵バイオマスを含んだ。
【０１５５】
各肥料組成物（リシン硫酸塩、クエン酸発酵バイオマスおよびＰＨＡ生産バイオマス）の２つの濃度を含む６つの肥料処理を調製し、そしてケンタッキーブルーグラス芝生芝草に適用した。肥料が適用されない対照プロットも調整した。プロットサイズは、２ｆｔ×５ｆｔであった。リシン硫酸塩は、０．４８９ｋｇ  Ｎ／アール（１．０ｌｂ  Ｎ／１０００ｆｔ２）および１．４７ｋｇ  Ｎ／アール（３．０ｌｂ  Ｎ／１０００ｆｔ２）の量で適用された（それぞれ、４５ｇおよび１３５ｇのリシン硫酸塩がプロットに適用されられた）。クエン酸発酵バイオマスは、シトリスティム（ＣｉｔｒｉＳｔｉｍ）（登録商標）（イリノイ州、ジケーター（Ｄｅｃａｔｕｒ，Ｉｌｌｉｎｏｉｓ）のアーチャー−ダニエルス−ミッドランド  カンパニー（Ａｒｃｈｅｒ−Ｄａｎｉｅｌｓ−Ｍｉｄｌａｎｄ  Ｃｏｍｐａｎｙから市販品として入手可能）を含み、そして０．４８９ｋｇ  Ｎ／アール（１．０ｌｂ  Ｎ／１０００ｆｔ２）および１．４７ｋｇ  Ｎ／アール（３．０ｌｂ  Ｎ／１０００ｆｔ２）の量での適用された（それぞれ、６５ｇおよび１９６ｇのシトリスティム（Ｃｉｔｒｉｓｔｉｍ）（登録商標）がプロットに適用されられた）。シトリスティム（Ｃｉｔｒｉｓｔｉｍ）の分析を表３０に示す。
【０１５６】
【表３０】
2009511416.tif 000032
【０１５７】
ＰＨＡ生産バイオマスは、０．４８９ｋｇ  Ｎ／アール（１．０ｌｂ  Ｎ／１０００ｆｔ２）および１．４７ｋｇ  Ｎ／アール（３．０ｌｂ  Ｎ／１０００ｆｔ２）の量で適用された（それぞれ、８４ｇおよび２５２ｇのＰＨＡバイオマスがプロットに適用された）。適用後、潅漑は適用された。プロットを芝草生長（１〜９のスケール、９＝最高成長）および色（１〜９のスケール、９＝濃緑色）に関して評価し、３つの未処理プロットと比較した。成長および色について、肥料組成物の適用から１０日後日に評価した。平均芝草成長および色評価を表３１に示す。
【０１５８】
【表３１】
2009511416.tif 000033
【０１５９】
処理された各プロットは、低い適用率で処理された芝地において、著しく良好な成長および色を有した。高い適用率で処理された芝地プロットは、改善された成長評価を示し、そして色が著しく濃緑であった。未処置プロットは、全て、ほとんどまたは全く成長を示さず、そして乏しいまたは薄い緑色を有した。淡黄褐色の葉先をもたらす、多数の葉身における未処理の芝地での刈り取り損傷は明らかであった。肥料組成物で処理されたプロットのいずれにおいても、刈り取り損傷は観測されなかった。
【０１６０】
実施例１９
本実施例で、本明細書に記載される肥料の様々な非限定的な実施形態で使用するために適切な様々な植物性タンパク質生成物を、様々な成分の含有量に関して分析した。様々な植物性タンパク質の組成を表３２および表３３に示す。Ｂ−澱粉の組成も表３３に示す。
【０１６１】
【表３２】
2009511416.tif 000034
【０１６２】
【表３３】
2009511416.tif 000035
【０１６３】
本発明は、特定の代表的な実施形態、組成物およびその使用に関して記載されている。しかしながら、本発明の精神および範囲から逸脱することなく、いずれかの代表的な実施形態の様々な代用、変更または組み合わせがなされてもよいことを当業者は認識するであろう。したがって、本発明は、代表的な実施形態の記載によって制限されることなく、添付の請求の範囲によって制限される。
【図面の簡単な説明】
【０１６４】
【図１】本明細書に記載の様々な肥料組成物を適用した後の土壌微生物群に対する効果を例示する。
【図２】様々な肥料組成物を適用した後のセントオーガスティングラスの芝草品質に対する効果を例示する。
【図３】様々な肥料組成物に関して、セントオーガスティングラスにおける平均２ヵ月の品質評価を例示する。
【図４】様々な肥料組成物を適用した後のバミューダフェアウエー芝草の芝草品質に対する効果を例示する。
【図５】様々な肥料組成物に関して、バミューダフェアウエー芝草における平均２ヵ月の品質評価を例示する。
【図６】様々な肥料組成物を適用した後のゴルフグリーン用ウルトラドワーフバミューダ芝草の芝草品質に対する効果を例示する。
【図７】様々な肥料組成物に関して、ゴルフグリーン用ウルトラドワーフバミューダ芝草における平均２ヵ月の品質評価を例示する。
【図８】リシン発酵プロセスを例示する。
【図９】スレオニン発酵プロセスを例示する。
【図１０】クエン酸発酵プロセスを例示する。
【図１】
2009511416.tif 000036
【図２】
2009511416.tif 000037
【図３】
2009511416.tif 000038
【図４】
2009511416.tif 000039
【図５】
2009511416.tif 000040
【図６】
2009511416.tif 000041
【図７】
2009511416.tif 000042
【図８】
2009511416.tif 000043
【図９】
2009511416.tif 000044
【図１０】
2009511416.tif 000045
【国際調査報告】
2009511416.tif 000046
2009511416.tif 000047
2009511416.tif 000048
2009511416.tif 000049
2009511416.tif 000050
2009511416.tif 000051